(57)【特許請求の範囲】
【請求項１】
電子広告を現実空間内の領域に関連付ける旨の要求を第１ユーザ端末から受け付けた場合に、当該要求を受け付けた時点よりも前に当該第１ユーザ端末によって取得されていた当該第１ユーザ端末の位置を示す位置情報、又は、当該位置情報を含む領域情報に基づいて、前記電子広告を関連付ける位置又は領域を設定する位置／領域設定手段と、
前記電子広告と、前記位置／領域設定手段によって設定された位置又は領域と、の関連付けを示す関連付け情報を関連付け情報記憶手段に登録する関連付け情報登録手段と、
電子広告の提供の要求を第２ユーザ端末から受け付けた場合に、当該第２ユーザ端末の位置を示す位置情報と、前記関連付け情報記憶手段に電子広告と関連付けて登録された位置又は領域と、に基づいて、前記関連付け情報記憶手段に登録された電子広告の中から当該第２ユーザ端末に提供する電子広告を抽出し、当該電子広告を当該第２ユーザ端末に提供する電子広告提供手段と、
を含み、
前記位置／領域設定手段は、
前記電子広告を前記現実空間内の領域に関連付ける旨の前記要求を受け付けた時点よりも前に前記第１ユーザ端末によって取得されていた位置情報、又は、当該位置情報を含む領域情報に基づいて、前記第１ユーザ端末が移動した領域を特定する手段と、
前記第１ユーザ端末が移動した前記領域を、前記電子広告を関連付ける領域として設定する手段と、を含み、
前記電子広告提供手段は、
前記第２ユーザ端末の位置を含む領域に関連付けられた電子広告を、前記第２ユーザ端末に提供する電子広告として抽出し、当該電子広告を前記第２ユーザ端末に提供する手段と、
前記第２ユーザ端末の位置を含む領域の周辺に位置する領域に関連付けられた電子広告を、前記第２ユーザ端末に提供する電子広告として抽出し、当該電子広告を前記第２ユーザ端末に提供する手段と、
前記第２ユーザ端末の位置からの距離が基準距離以下である領域に関連付けられた電子広告を、前記第２ユーザ端末に提供する電子広告として抽出し、当該電子広告を前記第２ユーザ端末に提供する手段と、の少なくとも一つを含む、
ことを特徴とする広告システム。
【請求項２】
請求項１に記載の広告システムにおいて、
前記位置／領域設定手段は、
前記電子広告を前記現実空間内の領域に関連付ける旨の前記要求を受け付けた時点よりも前に前記第１ユーザ端末によって取得されていた複数の位置情報、又は、当該複数の位置情報のうちの少なくとも一つを含む領域情報に基づいて、前記第１ユーザ端末が移動した複数の領域を特定する手段と、
前記複数の領域を前記第１ユーザ端末のユーザに提示する手段と、
前記複数の領域のうちの少なくとも一つの指定を前記ユーザから受け付ける手段と、
前記複数の領域のうちから前記ユーザによって指定された領域を、前記電子広告を関連付ける領域として設定する手段と、を含む、
ことを特徴とする広告システム。
【請求項３】
請求項２に記載の広告システムにおいて、
前記位置／領域設定手段は、
前記電子広告を前記現実空間内の領域に関連付ける旨の前記要求を受け付けた時点よりも前に前記第１ユーザ端末によって取得されていた直近の所定複数個の位置情報、又は、当該所定複数個の位置情報のうちの少なくとも一つを含む領域情報に基づいて、前記第１ユーザ端末が移動した複数の領域を特定する手段と、
前記電子広告を前記現実空間内の領域に関連付ける旨の前記要求を受け付けた時点よりも前に前記第１ユーザ端末によって取得されていた直近の所定期間における複数の位置情報、又は、当該複数の位置情報のうちの少なくとも一つを含む領域情報に基づいて、前記第１ユーザ端末が移動した複数の領域を特定する手段と、の少なくとも一つを含む、
ことを特徴とする広告システム。
【請求項４】
電子広告を現実空間内の領域に関連付ける旨の要求を第１ユーザ端末から受け付けた場合に、当該要求を受け付けた時点よりも前に当該第１ユーザ端末によって取得されていた当該第１ユーザ端末の位置を示す位置情報、又は、当該位置情報を含む領域情報に基づいて、前記電子広告を関連付ける位置又は領域を設定する位置／領域設定手段と、
前記電子広告と、前記位置／領域設定手段によって設定された位置又は領域と、の関連付けを示す関連付け情報を関連付け情報記憶手段に登録する関連付け情報登録手段と、
電子広告の提供の要求を第２ユーザ端末から受け付けた場合に、当該第２ユーザ端末の位置を示す位置情報と、前記関連付け情報記憶手段に電子広告と関連付けて登録された位置又は領域と、に基づいて、前記関連付け情報記憶手段に登録された電子広告の中から当該第２ユーザ端末に提供する電子広告を抽出し、当該電子広告を当該第２ユーザ端末に提供する電子広告提供手段と、
を含み、
前記位置／領域設定手段は、前記電子広告を前記現実空間内の領域に関連付ける旨の前記要求を受け付けた時点よりも前に前記第１ユーザ端末によって取得されていた位置情報に基づいて、前記第１ユーザ端末の過去位置を、前記電子広告を関連付ける位置として設定する手段を含み、
前記電子広告提供手段は、
前記第２ユーザ端末の位置に関連付けられた電子広告を、前記第２ユーザ端末に提供する電子広告として抽出し、当該電子広告を前記第２ユーザ端末に提供する手段と、
前記第２ユーザ端末の位置からの距離が基準距離以下である位置に関連付けられた電子広告を、前記第２ユーザ端末に提供する電子広告として抽出し、当該電子広告を前記第２ユーザ端末に提供する手段と、の少なくとも一つを含む、
ことを特徴とする広告システム。
【請求項５】
請求項４に記載の広告システムにおいて、
前記位置／領域設定手段は、
前記電子広告を前記現実空間内の領域に関連付ける旨の前記要求を受け付けた時点よりも前に前記第１ユーザ端末によって取得されていた複数の位置情報に基づいて、前記第１ユーザ端末の複数の過去位置を前記第１ユーザ端末のユーザに提示する手段と、
前記複数の過去位置のうちの少なくとも一つの指定を前記ユーザから受け付ける手段と、
前記複数の過去位置のうちから前記ユーザによって指定された過去位置を、前記電子広告を関連付ける位置として設定する手段と、を含む、
ことを特徴とする広告システム。
【請求項６】
電子広告を現実空間内の領域に関連付ける旨の要求を第１ユーザ端末から受け付けた場合に、当該要求を受け付けた時点よりも前に当該第１ユーザ端末によって取得されていた当該第１ユーザ端末の位置を示す位置情報、又は、当該位置情報を含む領域情報に基づいて、前記電子広告を関連付ける位置又は領域を設定する位置／領域設定手段と、
前記電子広告と、前記位置／領域設定手段によって設定された位置又は領域と、の関連付けを示す関連付け情報を関連付け情報記憶手段に登録する関連付け情報登録手段と、
電子広告の提供の要求を第２ユーザ端末から受け付けた場合に、当該第２ユーザ端末の位置を示す位置情報と、前記関連付け情報記憶手段に電子広告と関連付けて登録された位置又は領域と、に基づいて、前記関連付け情報記憶手段に登録された電子広告の中から当該第２ユーザ端末に提供する電子広告を抽出し、当該電子広告を当該第２ユーザ端末に提供する電子広告提供手段と、
を含み、
前記電子広告を前記現実空間内の領域に関連付ける旨の前記要求を受け付けた時点よりも前に前記第１ユーザ端末によって取得されていた位置情報、又は、当該位置情報を含む領域情報に基づいて、前記第１ユーザ端末の現在位置、又は、前記第１ユーザ端末が現在位置している領域を推定する推定手段をさらに含み、
前記位置／領域設定手段は、
前記推定手段によって推定された、前記第１ユーザ端末の現在位置を、前記電子広告を関連付ける位置として設定する手段と、
前記推定手段によって推定された、前記第１ユーザ端末の現在位置を含む領域を、前記電子広告を関連付ける領域として設定する手段と、
前記推定手段によって推定された、前記第１ユーザ端末が現在位置している領域を、前記電子広告を関連付ける領域として設定する手段と、の少なくとも一つを含み、
前記電子広告提供手段は、
前記第２ユーザ端末の位置、又は、前記第２ユーザ端末の位置を含む領域に関連付けられた電子広告を、前記第２ユーザ端末に提供する電子広告として抽出し、当該電子広告を前記第２ユーザ端末に提供する手段と、
前記第２ユーザ端末の位置を含む領域の周辺に位置する領域に関連付けられた電子広告を、前記第２ユーザ端末に提供する電子広告として抽出し、当該電子広告を前記第２ユーザ端末に提供する手段と、
前記第２ユーザ端末の位置からの距離が基準距離以下である位置又は領域に関連付けられた電子広告を、前記第２ユーザ端末に提供する電子広告として抽出し、当該電子広告を前記第２ユーザ端末に提供する手段と、の少なくとも一つを含む、
ことを特徴とする広告システム。
【請求項７】
請求項１乃至６のいずれかに記載の広告システムにおいて、
前記電子広告を前記現実空間内の領域に関連付ける旨の前記要求を受け付けた時点よりも前の第１時点における前記第１ユーザ端末の位置と、前記第１時点よりも前の第２時点における前記第１ユーザ端末の位置と、の間の距離が上限閾値よりも大きいか否かを判定する手段と、
前記第１時点における前記第１ユーザ端末の位置と、前記第２時点における前記第１ユーザ端末の位置と、の間の距離が前記上限閾値よりも大きい場合に、当該第１ユーザ端末からの要求に応じた前記関連付け情報の登録を抑止する手段と、を含む、
ことを特徴とする広告システム。
【請求項８】
請求項１乃至７のいずれかに記載の広告システムにおいて、
前記電子広告を前記現実空間内の領域に関連付ける旨の前記要求を受け付けた時点よりも前の第１時点における前記第１ユーザ端末の位置と、前記第１時点よりも前の第２時点における前記第１ユーザ端末の位置と、に基づいて、前記第１ユーザ端末の移動速度が閾値よりも速いか否かを判定する手段と、
前記第１ユーザ端末の移動速度が前記閾値よりも速い場合に、当該第１ユーザ端末からの要求に応じた前記関連付け情報の登録を抑止する手段と、を含む、
ことを特徴とする広告システム。
【請求項９】
電子広告を現実空間内の領域に関連付ける旨の要求をユーザ端末から受け付けた場合に、当該要求を受け付けた時点よりも前に当該ユーザ端末によって取得されていた当該ユーザ端末の位置を示す位置情報、又は、当該位置情報を含む領域情報に基づいて、前記電子広告を関連付ける位置又は領域を設定する位置／領域設定手段と、
前記電子広告と、前記位置／領域設定手段によって設定された位置又は領域と、の関連付けを示す関連付け情報を関連付け情報記憶手段に登録する関連付け情報登録手段と、
を含み、
前記電子広告を前記現実空間内の領域に関連付ける旨の前記要求を受け付けた時点よりも前の第１時点における前記ユーザ端末の位置である第１位置と、前記第１時点よりも前の第２時点における前記ユーザ端末の位置である第２位置と、の間の距離が下限閾値未満であるか否かを判定する手段をさらに含み、
前記位置／領域設定手段は、前記距離が前記下限閾値未満である場合に、前記第１位置と前記第２位置との少なくとも一方の位置、又は、前記第１位置と前記第２位置との少なくとも一方を含む領域を、前記電子広告を関連付ける位置又は領域として設定する、
ことを特徴とする広告システム。
【請求項１０】
広告システムの制御方法において、
前記広告システムに含まれる制御部が、電子広告を現実空間内の領域に関連付ける旨の要求を第１ユーザ端末から受け付けた場合に、当該要求を受け付けた時点よりも前に当該第１ユーザ端末によって取得されていた当該第１ユーザ端末の位置を示す位置情報、又は、当該位置情報を含む領域情報に基づいて、前記電子広告を関連付ける位置又は領域を設定する位置／領域設定ステップと、
前記制御部が、前記電子広告と、前記位置／領域設定ステップによって設定された位置又は領域と、の関連付けを示す関連付け情報を関連付け情報記憶手段に登録する関連付け情報登録ステップと、
前記制御部が、電子広告の提供の要求を第２ユーザ端末から受け付けた場合に、当該第２ユーザ端末の位置を示す位置情報と、前記関連付け情報記憶手段に電子広告と関連付けて登録された位置又は領域と、に基づいて、前記関連付け情報記憶手段に登録された電子広告の中から当該第２ユーザ端末に提供する電子広告を抽出し、当該電子広告を当該第２ユーザ端末に提供する電子広告提供ステップと、
を含み、
前記位置／領域設定ステップは、
前記電子広告を前記現実空間内の領域に関連付ける旨の前記要求を受け付けた時点よりも前に前記第１ユーザ端末によって取得されていた位置情報、又は、当該位置情報を含む領域情報に基づいて、前記第１ユーザ端末が移動した領域を特定するステップと、
前記第１ユーザ端末が移動した前記領域を、前記電子広告を関連付ける領域として設定するステップと、を含み、
前記電子広告提供ステップは、
前記制御部が、前記第２ユーザ端末の位置を含む領域に関連付けられた電子広告を、前記第２ユーザ端末に提供する電子広告として抽出し、当該電子広告を前記第２ユーザ端末に提供するステップと、
前記制御部が、前記第２ユーザ端末の位置を含む領域の周辺に位置する領域に関連付けられた電子広告を、前記第２ユーザ端末に提供する電子広告として抽出し、当該電子広告を前記第２ユーザ端末に提供するステップと、
前記制御部が、前記第２ユーザ端末の位置からの距離が基準距離以下である領域に関連付けられた電子広告を、前記第２ユーザ端末に提供する電子広告として抽出し、当該電子広告を前記第２ユーザ端末に提供するステップと、の少なくとも一つを含む、
ことを特徴とする広告システムの制御方法。
【請求項１１】
電子広告を現実空間内の領域に関連付ける旨の要求を第１ユーザ端末から受け付けた場合に、当該要求を受け付けた時点よりも前に当該第１ユーザ端末によって取得されていた当該第１ユーザ端末の位置を示す位置情報、又は、当該位置情報を含む領域情報に基づいて、前記電子広告を関連付ける位置又は領域を設定する位置／領域設定手段、
前記電子広告と、前記位置／領域設定手段によって設定された位置又は領域と、の関連付けを示す関連付け情報を関連付け情報記憶手段に登録する関連付け情報登録手段、及び、
電子広告の提供の要求を第２ユーザ端末から受け付けた場合に、当該第２ユーザ端末の位置を示す位置情報と、前記関連付け情報記憶手段に電子広告と関連付けて登録された位置又は領域と、に基づいて、前記関連付け情報記憶手段に登録された電子広告の中から当該第２ユーザ端末に提供する電子広告を抽出し、当該電子広告を当該第２ユーザ端末に提供する電子広告提供手段、
としてコンピュータを機能させ、
前記位置／領域設定手段は、
前記電子広告を前記現実空間内の領域に関連付ける旨の前記要求を受け付けた時点よりも前に前記第１ユーザ端末によって取得されていた位置情報、又は、当該位置情報を含む領域情報に基づいて、前記第１ユーザ端末が移動した領域を特定する手段と、
前記第１ユーザ端末が移動した前記領域を、前記電子広告を関連付ける領域として設定する手段と、を含み、
前記電子広告提供手段は、
前記第２ユーザ端末の位置を含む領域に関連付けられた電子広告を、前記第２ユーザ端末に提供する電子広告として抽出し、当該電子広告を前記第２ユーザ端末に提供する手段と、
前記第２ユーザ端末の位置を含む領域の周辺に位置する領域に関連付けられた電子広告を、前記第２ユーザ端末に提供する電子広告として抽出し、当該電子広告を前記第２ユーザ端末に提供する手段と、
前記第２ユーザ端末の位置からの距離が基準距離以下である領域に関連付けられた電子広告を、前記第２ユーザ端末に提供する電子広告として抽出し、当該電子広告を前記第２ユーザ端末に提供する手段と、の少なくとも一つを含む、
ことを特徴とするプログラム。
【請求項１２】
広告システムの制御方法において、
前記広告システムに含まれる制御部が、電子広告を現実空間内の領域に関連付ける旨の要求を第１ユーザ端末から受け付けた場合に、当該要求を受け付けた時点よりも前に当該第１ユーザ端末によって取得されていた当該第１ユーザ端末の位置を示す位置情報、又は、当該位置情報を含む領域情報に基づいて、前記電子広告を関連付ける位置又は領域を設定する位置／領域設定ステップと、
前記制御部が、前記電子広告と、前記位置／領域設定ステップによって設定された位置又は領域と、の関連付けを示す関連付け情報を関連付け情報記憶手段に登録する関連付け情報登録ステップと、
前記制御部が、電子広告の提供の要求を第２ユーザ端末から受け付けた場合に、当該第２ユーザ端末の位置を示す位置情報と、前記関連付け情報記憶手段に電子広告と関連付けて登録された位置又は領域と、に基づいて、前記関連付け情報記憶手段に登録された電子広告の中から当該第２ユーザ端末に提供する電子広告を抽出し、当該電子広告を当該第２ユーザ端末に提供する電子広告提供ステップと、
を含み、
前記位置／領域設定ステップは、前記電子広告を前記現実空間内の領域に関連付ける旨の前記要求を受け付けた時点よりも前に前記第１ユーザ端末によって取得されていた位置情報に基づいて、前記第１ユーザ端末の過去位置を、前記電子広告を関連付ける位置として設定するステップを含み、
前記電子広告提供ステップは、
前記制御部が、前記第２ユーザ端末の位置に関連付けられた電子広告を、前記第２ユーザ端末に提供する電子広告として抽出し、当該電子広告を前記第２ユーザ端末に提供するステップと、
前記制御部が、前記第２ユーザ端末の位置からの距離が基準距離以下である位置に関連付けられた電子広告を、前記第２ユーザ端末に提供する電子広告として抽出し、当該電子広告を前記第２ユーザ端末に提供するステップと、の少なくとも一つを含む、
ことを特徴とする広告システムの制御方法。
【請求項１３】
電子広告を現実空間内の領域に関連付ける旨の要求を第１ユーザ端末から受け付けた場合に、当該要求を受け付けた時点よりも前に当該第１ユーザ端末によって取得されていた当該第１ユーザ端末の位置を示す位置情報、又は、当該位置情報を含む領域情報に基づいて、前記電子広告を関連付ける位置又は領域を設定する位置／領域設定手段、
前記電子広告と、前記位置／領域設定手段によって設定された位置又は領域と、の関連付けを示す関連付け情報を関連付け情報記憶手段に登録する関連付け情報登録手段、及び、
電子広告の提供の要求を第２ユーザ端末から受け付けた場合に、当該第２ユーザ端末の位置を示す位置情報と、前記関連付け情報記憶手段に電子広告と関連付けて登録された位置又は領域と、に基づいて、前記関連付け情報記憶手段に登録された電子広告の中から当該第２ユーザ端末に提供する電子広告を抽出し、当該電子広告を当該第２ユーザ端末に提供する電子広告提供手段、
としてコンピュータを機能させ、
前記位置／領域設定手段は、前記電子広告を前記現実空間内の領域に関連付ける旨の前記要求を受け付けた時点よりも前に前記第１ユーザ端末によって取得されていた位置情報に基づいて、前記第１ユーザ端末の過去位置を、前記電子広告を関連付ける位置として設定する手段を含み、
前記電子広告提供手段は、
前記第２ユーザ端末の位置に関連付けられた電子広告を、前記第２ユーザ端末に提供する電子広告として抽出し、当該電子広告を前記第２ユーザ端末に提供する手段と、
前記第２ユーザ端末の位置からの距離が基準距離以下である位置に関連付けられた電子広告を、前記第２ユーザ端末に提供する電子広告として抽出し、当該電子広告を前記第２ユーザ端末に提供する手段と、の少なくとも一つを含む、
ことを特徴とするプログラム。
【請求項１４】
広告システムの制御方法において、
前記広告システムに含まれる制御部が、電子広告を現実空間内の領域に関連付ける旨の要求を第１ユーザ端末から受け付けた場合に、当該要求を受け付けた時点よりも前に当該第１ユーザ端末によって取得されていた当該第１ユーザ端末の位置を示す位置情報、又は、当該位置情報を含む領域情報に基づいて、前記電子広告を関連付ける位置又は領域を設定する位置／領域設定ステップと、
前記制御部が、前記電子広告と、前記位置／領域設定ステップによって設定された位置又は領域と、の関連付けを示す関連付け情報を関連付け情報記憶手段に登録する関連付け情報登録ステップと、
前記制御部が、電子広告の提供の要求を第２ユーザ端末から受け付けた場合に、当該第２ユーザ端末の位置を示す位置情報と、前記関連付け情報記憶手段に電子広告と関連付けて登録された位置又は領域と、に基づいて、前記関連付け情報記憶手段に登録された電子広告の中から当該第２ユーザ端末に提供する電子広告を抽出し、当該電子広告を当該第２ユーザ端末に提供する電子広告提供ステップと、
を含み、
前記制御部が、前記電子広告を前記現実空間内の領域に関連付ける旨の前記要求を受け付けた時点よりも前に前記第１ユーザ端末によって取得されていた位置情報、又は、当該位置情報を含む領域情報に基づいて、前記第１ユーザ端末の現在位置、又は、前記第１ユーザ端末が現在位置している領域を推定する推定ステップをさらに含み、
前記位置／領域設定ステップは、
前記推定ステップによって推定された、前記第１ユーザ端末の現在位置を、前記電子広告を関連付ける位置として設定するステップと、
前記推定ステップによって推定された、前記第１ユーザ端末の現在位置を含む領域を、前記電子広告を関連付ける領域として設定するステップと、
前記推定ステップによって推定された、前記第１ユーザ端末が現在位置している領域を、前記電子広告を関連付ける領域として設定するステップと、の少なくとも一つを含み、
前記電子広告提供ステップは、
前記第２ユーザ端末の位置、又は、前記第２ユーザ端末の位置を含む領域に関連付けられた電子広告を、前記第２ユーザ端末に提供する電子広告として抽出し、当該電子広告を前記第２ユーザ端末に提供するステップと、
前記第２ユーザ端末の位置を含む領域の周辺に位置する領域に関連付けられた電子広告を、前記第２ユーザ端末に提供する電子広告として抽出し、当該電子広告を前記第２ユーザ端末に提供するステップと、
前記第２ユーザ端末の位置からの距離が基準距離以下である位置又は領域に関連付けられた電子広告を、前記第２ユーザ端末に提供する電子広告として抽出し、当該電子広告を前記第２ユーザ端末に提供するステップと、の少なくとも一つを含む、
ことを特徴とする広告システムの制御方法。
【請求項１５】
電子広告を現実空間内の領域に関連付ける旨の要求を第１ユーザ端末から受け付けた場合に、当該要求を受け付けた時点よりも前に当該第１ユーザ端末によって取得されていた当該第１ユーザ端末の位置を示す位置情報、又は、当該位置情報を含む領域情報に基づいて、前記電子広告を関連付ける位置又は領域を設定する位置／領域設定手段、
前記電子広告と、前記位置／領域設定手段によって設定された位置又は領域と、の関連付けを示す関連付け情報を関連付け情報記憶手段に登録する関連付け情報登録手段、及び、
電子広告の提供の要求を第２ユーザ端末から受け付けた場合に、当該第２ユーザ端末の位置を示す位置情報と、前記関連付け情報記憶手段に電子広告と関連付けて登録された位置又は領域と、に基づいて、前記関連付け情報記憶手段に登録された電子広告の中から当該第２ユーザ端末に提供する電子広告を抽出し、当該電子広告を当該第２ユーザ端末に提供する電子広告提供手段、
としてコンピュータを機能させ、
前記電子広告を前記現実空間内の領域に関連付ける旨の前記要求を受け付けた時点よりも前に前記第１ユーザ端末によって取得されていた位置情報、又は、当該位置情報を含む領域情報に基づいて、前記第１ユーザ端末の現在位置、又は、前記第１ユーザ端末が現在位置している領域を推定する推定手段として前記コンピュータをさらに機能させ、
前記位置／領域設定手段は、
前記推定手段によって推定された、前記第１ユーザ端末の現在位置を、前記電子広告を関連付ける位置として設定する手段と、
前記推定手段によって推定された、前記第１ユーザ端末の現在位置を含む領域を、前記電子広告を関連付ける領域として設定する手段と、
前記推定手段によって推定された、前記第１ユーザ端末が現在位置している領域を、前記電子広告を関連付ける領域として設定する手段と、の少なくとも一つを含み、
前記電子広告提供手段は、
前記第２ユーザ端末の位置、又は、前記第２ユーザ端末の位置を含む領域に関連付けられた電子広告を、前記第２ユーザ端末に提供する電子広告として抽出し、当該電子広告を前記第２ユーザ端末に提供する手段と、
前記第２ユーザ端末の位置を含む領域の周辺に位置する領域に関連付けられた電子広告を、前記第２ユーザ端末に提供する電子広告として抽出し、当該電子広告を前記第２ユーザ端末に提供する手段と、
前記第２ユーザ端末の位置からの距離が基準距離以下である位置又は領域に関連付けられた電子広告を、前記第２ユーザ端末に提供する電子広告として抽出し、当該電子広告を前記第２ユーザ端末に提供する手段と、の少なくとも一つを含む、
ことを特徴とするプログラム。
【請求項１６】
広告システムの制御方法において、
前記広告システムに含まれる制御部が、電子広告を現実空間内の領域に関連付ける旨の要求をユーザ端末から受け付けた場合に、当該要求を受け付けた時点よりも前に当該ユーザ端末によって取得されていた当該ユーザ端末の位置を示す位置情報、又は、当該位置情報を含む領域情報に基づいて、前記電子広告を関連付ける位置又は領域を設定する位置／領域設定ステップと、
前記制御部が、前記電子広告と、前記位置／領域設定ステップによって設定された位置又は領域と、の関連付けを示す関連付け情報を関連付け情報記憶手段に登録する関連付け情報登録ステップと、
を含み、
前記制御部が、前記電子広告を前記現実空間内の領域に関連付ける旨の前記要求を受け付けた時点よりも前の第１時点における前記ユーザ端末の位置である第１位置と、前記第１時点よりも前の第２時点における前記ユーザ端末の位置である第２位置と、の間の距離が下限閾値未満であるか否かを判定するステップをさらに含み、
前記位置／領域設定ステップでは、前記距離が前記下限閾値未満である場合に、前記第１位置と前記第２位置との少なくとも一方の位置、又は、前記第１位置と前記第２位置との少なくとも一方を含む領域が、前記電子広告を関連付ける位置又は領域として設定される、
ことを特徴とする広告システムの制御方法。
【請求項１７】
電子広告を現実空間内の領域に関連付ける旨の要求をユーザ端末から受け付けた場合に、当該要求を受け付けた時点よりも前に当該ユーザ端末によって取得されていた当該ユーザ端末の位置を示す位置情報、又は、当該位置情報を含む領域情報に基づいて、前記電子広告を関連付ける位置又は領域を設定する位置／領域設定手段、及び、
前記電子広告と、前記位置／領域設定手段によって設定された位置又は領域と、の関連付けを示す関連付け情報を関連付け情報記憶手段に登録する関連付け情報登録手段、
としてコンピュータを機能させ、
前記電子広告を前記現実空間内の領域に関連付ける旨の前記要求を受け付けた時点よりも前の第１時点における前記ユーザ端末の位置である第１位置と、前記第１時点よりも前の第２時点における前記ユーザ端末の位置である第２位置と、の間の距離が下限閾値未満であるか否かを判定する手段として前記コンピュータをさらに機能させ、
前記位置／領域設定手段は、前記距離が前記下限閾値未満である場合に、前記第１位置と前記第２位置との少なくとも一方の位置、又は、前記第１位置と前記第２位置との少なくとも一方を含む領域を、前記電子広告を関連付ける位置又は領域として設定する、
ことを特徴とするプログラム。
【発明の詳細な説明】
【技術分野】
【０００１】  本発明は広告システム、広告システムの制御方法、広告処理装置、広告処理装置の制御方法、及びプログラムに関する。
【背景技術】
【０００２】  電子広告を提供するシステムが知られている。例えば、特許文献１は電子クーポンを提供するシステムに関するものであり、携帯端末の現在位置から所定距離以内に所在地がある店舗の電子クーポンを携帯端末に送信する技術を開示している。
【先行技術文献】
【特許文献】
【０００３】
【特許文献１】特開２０１１−１９７８８１号公報
【発明の概要】
【発明が解決しようとする課題】
【０００４】  現実世界では、店舗の所在地から所定距離以上離れた場所でも広告（例えばクーポン又はチラシ）の配布が行われている。例えば、人の通行量が多い場所のように広告の配布に適した場所があれば、その場所が店舗の所在地から所定距離以上離れていたとしても、その場所で広告の配布が行われる場合がある。電子広告（例えば電子クーポン又は電子チラシ）に関しても、店舗の所在地から所定距離以上離れた場所で電子広告の提供を行いたい場合がある。【０００５】  そこで、本願の発明者は、登録者によって指定された現実世界の領域に電子広告を関連付けておき、電子広告が関連付けられた領域とユーザの位置とに基づいて、電子広告をユーザに提供するシステムを発案した。【０００６】  このようなシステムを実現する場合、登録者が表示部に表示される地図上で領域を指定し、登録者によって指定された領域と電子広告とを関連付けるような構成を採用することが考えられる。【０００７】  しかしながら、地図上のいずれの領域も無制限に指定できるようになっていると、無差別かつ大量に電子広告が登録されてしまうおそれがある。また、実際の場所を見て確認せずにその場所に電子広告を関連付けることができるようになっていると、通行人がその広告を見る可能性が低い場所等、電子広告を提供する場所に適さない場所に電子広告を関連付けてしまうおそれがある。【０００８】  本発明は上記課題に鑑みてなされたものであって、その目的は、無差別かつ大量に電子広告が登録されてしまうことを抑制し、電子広告を提供する場所に適さない場所に電子広告を関連付けてしまうことを抑制することも可能な広告システム、広告システムの制御方法、広告処理装置、広告処理装置の制御方法、及びプログラムを提供することにある。
【課題を解決するための手段】
【０００９】  上記課題を解決するために、本発明に係る広告システムは、電子広告を現実空間内の領域に関連付ける旨の要求を第１ユーザから受け付けた場合に、前記第１ユーザの位置に関する位置情報を取得する第１位置情報取得手段によって当該要求を受け付けた時点よりも前に取得されていた位置情報、又は、当該位置情報を含む領域情報に基づいて、前記電子広告を関連付ける位置又は領域を設定する位置／領域設定手段と、前記電子広告と、前記位置／領域設定手段によって設定された位置又は領域と、の関連付けを示す関連付け情報を関連付け情報記憶手段に登録する関連付け情報登録手段と、電子広告の提供の要求を前記第２ユーザから受け付けた場合に、前記第２ユーザの位置に関する位置情報を取得する第２位置情報取得手段によって取得された位置情報と、前記関連付け情報記憶手段に登録された位置又は領域と、に基づいて、前記関連付け情報記憶手段に登録された電子広告の中から前記第２ユーザに提供する電子広告を抽出し、当該電子広告を前記第２ユーザに提供する電子広告提供手段と、を含む。【００１０】  また、本発明に係る広告システムの制御方法は、電子広告を現実空間内の領域に関連付ける旨の要求を第１ユーザから受け付けた場合に、前記第１ユーザの位置に関する位置情報を取得する第１位置情報取得手段によって当該要求を受け付けた時点よりも前に取得されていた位置情報、又は、当該位置情報を含む領域情報に基づいて、前記電子広告を関連付ける位置又は領域を設定する位置／領域設定ステップと、前記電子広告と、前記位置／領域設定ステップによって設定された位置又は領域と、の関連付けを示す関連付け情報を関連付け情報記憶手段に登録する関連付け情報登録ステップと、電子広告の提供の要求を前記第２ユーザから受け付けた場合に、前記第２ユーザの位置に関する位置情報を取得する第２位置情報取得手段によって取得された位置情報と、前記関連付け情報記憶手段に登録された位置又は領域と、に基づいて、前記関連付け情報記憶手段に登録された電子広告の中から前記第２ユーザに提供する電子広告を抽出し、当該電子広告を前記第２ユーザに提供する電子広告提供ステップと、を含む。【００１１】  また、本発明に係る広告処理装置は、電子広告を現実空間内の領域に関連付ける旨の要求を前記ユーザから受け付けた場合に、前記ユーザの位置に関する位置情報を取得する位置情報取得手段によって当該要求を受け付けた時点よりも前に取得されていた位置情報、又は、当該位置情報を含む領域情報に基づいて、前記電子広告を関連付ける位置又は領域を設定する位置／領域設定手段と、前記電子広告と、前記位置／領域設定手段によって設定された位置又は領域と、の関連付けを示す関連付け情報を関連付け情報記憶手段に登録する関連付け情報登録手段と、を含む。【００１２】  また、本発明に係る広告処理装置の制御方法は、電子広告を現実空間内の領域に関連付ける旨の要求を前記ユーザから受け付けた場合に、前記ユーザの位置に関する位置情報を取得する位置情報取得手段によって当該要求を受け付けた時点よりも前に取得されていた位置情報、又は、当該位置情報を含む領域情報に基づいて、前記電子広告を関連付ける位置又は領域を設���する位置／領域設定ステップと、前記電子広告と、前記位置／領域設定ステップによって設定された位置又は領域と、の関連付けを示す関連付け情報を関連付け情報記憶手段に登録する関連付け情報登録ステップと、を含む。【００１３】  また、本発明に係るプログラムは、電子広告を現実空間内の領域に関連付ける旨の要求を前記ユーザから受け付けた場合に、前記ユーザの位置に関する位置情報を取得する位置情報取得手段によって当該要求を受け付けた時点よりも前に取得されていた位置情報、又は、当該位置情報を含む領域情報に基づいて、前記電子広告を関連付ける位置又は領域を設定する位置／領域設定手段、及び、前記電子広告と、前記位置／領域設定手段によって設定された位置又は領域と、の関連付けを示す関連付け情報を関連付け情報記憶手段に登録する関連付け情報登録手段、としてコンピュータを機能させるためのプログラムである。【００１４】  また、本発明に係る情報記憶媒体は上記プログラムを記録したコンピュータ読み取り可能な情報記憶媒体である。【００１５】  また、本発明の一態様では、前記位置／領域設定手段は、前記電子広告を前記現実空間内の領域に関連付ける旨の前記要求を受け付けた時点よりも前に前記第１位置情報取得手段によって取得されていた直近の所定複数個の位置情報、又は、当該所定複数個の位置情報のうちの少なくとも一つを含む領域情報に基づいて、前記電子広告を関連付ける位置又は領域を設定する手段と、前記電子広告を前記現実空間内の領域に関連付ける旨の前記要求を受け付けた時点よりも前に前記第１位置情報取得手段によって取得されていた直近の所定期間における複数の位置情報、又は、当該複数の位置情報のうちの少なくとも一つを含む領域情報に基づいて、前記電子広告を関連付ける位置又は領域を設定する手段と、の少なくとも一つを含むようにしてもよい。【００１６】  また、本発明の一態様では、前記位置／領域設定手段は、前記電子広告を前記現実空間内の領域に関連付ける旨の前記要求を受け付けた時点よりも前に前記第１位置情報取得手段によって取得されていた位置情報、又は、当該位置情報を含む領域情報に基づいて、前記第１ユーザが移動した領域を特定する手段と、前記第１ユーザが移動した前記領域を、前記電子広告を関連付ける領域として設定する手段と、を含むようにしてもよい。【００１７】  また、本発明の一態様では、前記位置／領域設定手段は、前記電子広告を前記現実空間内の領域に関連付ける旨の前記要求を受け付けた時点よりも前に前記第１位置情報取得手段によって取得されていた複数の位置情報、又は、当該複数の位置情報のうちの少なくとも一つを含む領域情報に基づいて、前記第１ユーザが移動した複数の領域を特定する手段と、前記複数の領域を前記第１ユーザに提示する手段と、前記複数の領域のうちの少なくとも一つの指定を前記第１ユーザから受け付ける手段と、前記複数の領域のうちから前記第１ユーザによって指定された領域を、前記電子広告を関連付ける領域として設定する手段と、を含むようにしてもよい。【００１８】  また、本発明の一態様では、前記位置／領域設定手段は、前記電子広告を前記現実空間内の領域に関連付ける旨の前記要求を受け付けた時点よ���も前に前記第１位置情報取得手段によって取得されていた位置情報に基づいて、前記第１ユーザの過去位置を、前記電子広告を関連付ける位置として設定する手段を含むようにしてもよい。【００１９】  また、本発明の一態様では、前記位置／領域設定手段は、前記電子広告を前記現実空間内の領域に関連付ける旨の前記要求を受け付けた時点よりも前に前記第１位置情報取得手段によって取得されていた複数の位置情報に基づいて、前記第１ユーザの複数の過去位置を前記第１ユーザに提示する手段と、前記複数の過去位置のうちの少なくとも一つの指定を前記第１ユーザから受け付ける手段と、前記複数の過去位置のうちから前記第１ユーザによって指定された過去位置を、前記電子広告を関連付ける位置として設定する手段と、を含むようにしてもよい。【００２０】  また、本発明の一態様では、前記電子広告を前記現実空間内の領域に関連付ける旨の前記要求を受け付けた時点よりも前に前記第１位置情報取得手段によって取得されていた位置情報、又は、当該位置情報を含む領域情報に基づいて、前記第１ユーザの現在位置、又は、前記第１ユーザが現在位置している領域を推定する推定手段を含み、前記位置／領域設定手段は、前記推定手段によって推定された、前記第１ユーザの現在位置、又は、前記第１ユーザが現在位置している領域に基づいて、前記電子広告を関連付ける位置又は領域を設定するようにしてもよい。【００２１】  また、本発明の一態様では、前記電子広告を前記現実空間内の領域に関連付ける旨の前記要求を受け付けた時点よりも前の第１時点における前記第１ユーザの位置と、前記第１時点よりも前の第２時点における前記第１ユーザの位置と、の間の距離が上限閾値よりも大きいか否かを判定する手段と、前記距離が前記上限閾値よりも大きい場合に、前記関連付け情報の登録を抑止する手段と、を含むようにしてもよい。【００２２】  また、本発明の一態様では、前記電子広告を前記現実空間内の領域に関連付ける旨の前記要求を受け付けた時点よりも前の第１時点における前記第１ユーザの位置と、前記第１時点よりも前の第２時点における前記第１ユーザの位置と、に基づいて、前記第１ユーザの移動速度が閾値よりも速いか否かを判定する手段と、前記第１ユーザの移動速度が前記閾値よりも速い場合に、前記関連付け情報の登録を抑止する手段と、を含むようにしてもよい。【００２３】  また、本発明の一態様では、前記電子広告を前記現実空間内の領域に関連付ける旨の前記要求を受け付けた時点よりも前の第１時点における前記第１ユーザの位置と、前記第１時点よりも前の第２時点における前記第１ユーザの位置と、の間の距離が下限閾値未満であるか否かを判定する手段を含み、前記位置／領域設定手段は、前記距離が前記下限閾値未満である場合に、前記第１時点における前記第１ユーザの位置と、前記第２時点における前記第１ユーザの位置と、の少なくとも一方に基づいて、前記電子広告を関連付ける位置又は領域を設定するようにしてもよい。
【発明の効果】
【００２４】  本発明によれば、無差別かつ大量に電子広告が登録されてしまうことを抑制し電子広告を提供する場所に適さない場所に電子広告を関連付けてしまうことを抑制することも可能になる。また本発明によれば、電子広告を現実空間内の領域に関連付ける旨の要求をユーザから受け付けるより前に取得された過去の位置情報を利用するため、上記要求を受け付けた後に位置情報を取得する必要がなく、位置情報を取得するための時間を省くことが可能になる。
【図面の簡単な説明】
【００２５】
【図１】本発明の実施形態に係る広告システムの全体構成の一例を示す図である。
【図２】広告システムの機能の概要について説明するための図である。
【図３】広告システムの機能の概要について説明するための図である。
【図４】メニュー画面の一例を示す図である。
【図５】クーポン一覧画面の一例を示す図である。
【図６】クーポン画面の一例を示す図である。
【図７】区画指定画面の一例を示す図である。
【図８】候補領域について説明するための図である。
【図９】区画指定画面の他の一例を示す図である。
【図１０】クーポン一覧画面の一例を示す図である。
【図１１】クーポン画面の一例を示す図である。
【図１２】広告システムの機能ブロック図である。
【図１３】ユーザテーブルの一例を示す図である。
【図１４】ユーザ位置テーブルの一例を示す図である。
【図１５】広告主テーブルの一例を示す図である。
【図１６】電子クーポンテーブルの一例を示す図である。
【図１７】所有状況テーブルの一例を示す図である。
【図１８】区画テーブルの一例を示す図である。
【図１９】登録状況テーブルの一例を示す図である。
【図２０】広告システムで実行される処理の一例を示す図である。
【図２１】広告システムで実行される処理の一例を示す図である。
【図２２】広告システムで実行される処理の他の一例を示す図である。
【図２３】広告システムで実行される処理の他の一例を示す図である。
【図２４】区画指定画面の他の一例を示す図である。
【発明を実施するための形態】
【００２６】  以下、本発明の実施形態について図面に基づき詳細に説明する。
【００２７】  図１は、本発明の実施形態に係る広告システムの全体構成の一例を示す。図１に示すように、本実施形態に係る広告システム１は、広告サーバ１０（広告処理装置）と、データベース１５と、ユーザ端末２０と、店舗端末３０とを含む。
【００２８】  広告サーバ１０とユーザ端末２０と店舗端末３０とは通信ネットワーク２に接続される。広告サーバ１０とユーザ端末２０との間で相互にデータ通信が可能である。また、広告サーバ１０と店舗端末３０との間でも相互にデータ通信が可能である。
【００２９】  広告サーバ１０は電子広告を提供するためのサーバである。広告サーバ１０は制御部１１、記憶部１２、通信部１３、及び光ディスクドライブ部１４を含む。制御部１１は例えば１又は複数のマイクロプロセッサを含み、記憶部１２に記憶されたオペレーティングシステム又はプログラムに従って処理を実行する。記憶部１２は主記憶部及び補助記憶部を含む。例えば、主記憶部はＲＡＭであり、補助記憶部はハードディスク又はソリッドステートドライブ等である。
【００３０】  通信部１３は通信ネットワーク２を介してデータ通信を行うためのものであり、光ディスクドライブ部１４は、光ディスク（情報記憶媒体）に記録されたプログラムやデータを読み出す。プログラム及びデータは通信ネットワーク２を介して記憶部１２に供給される。または、プログラムやデータは光ディスクを介して記憶部１２に供給される。すなわち、光ディスクに記憶されたプログラムやデータが光ディスクドライブ部１４によって読み出され、記憶部１２に記憶される。
【００３１】  なお、広告サーバ１０は、光ディスク以外の情報記憶媒体（例えばメモリカード）に記憶されたプログラム又はデータを読み出すための構成要素を含むようにしてもよい。そして、光ディスク以外の情報記憶媒体を介してプログラムやデータが記憶部１２に供給されるようにしてもよい。
【００３２】  広告サーバ１０はデータベース１５にアクセスすることができる。データベース１５は広告サーバ１０に構築されていてもよいし、広告サーバ１０とは別のサーバに構築されていてもよい。電子広告を提供するために必要な情報がデータベース１５に記憶される。
【００３３】  ユーザ端末２０はユーザによって使用される情報処理装置である。ユーザ端末２０はユーザが持ち歩くことが可能な携帯型の情報処理装置であり、例えば携帯電話（スマートフォンを含む）、携帯情報端末（タブレット型コンピュータを含む）、又はラップトップ型パーソナルコンピュータ等である。なお以下では、ユーザ端末２０が携帯電話（スマートフォン）である場合を想定して説明する。
【００３４】  ユーザ端末２０は制御部２１、記憶部２２、通信部２３、ＧＰＳ受信部２４、操作部２５、表示部２６、及び音声出力部２７を含む。制御部２１及び記憶部２２は広告サーバ１０の制御部１１及び記憶部１２と同様である。
【００３５】  通信部２３は通信ネットワーク２を介してデータ通信を行うためのものである。例えば、通信部２３は携帯電話通信網を利用したデータ通信機能を有し、各所に設置された携帯電話基地局を介してデータ通信を行うことが可能である。また例えば、通信部２３は無線ＬＡＮ規格に則ったデータ通信機能を有し、各所に設置された無線ＬＡＮ基地局（アクセスポイント）を介してデータ通信を行うことが可能である。
【００３６】  ＧＰＳ受信部２４は複数のＧＰＳ衛星から送信される信号を受信する。ユーザ端末２０のオペレーティングシステムは、ＧＰＳ受信部２４によって受信された信号に基づいて、ユーザ端末２０の位置情報（緯度及び経度）を取得する。
【００３７】  なお、ユーザ端末２０のオペレーティングシステムは、ユーザ端末２０と通信している携帯電話基地局の位置情報に基づいてユーザ端末２０の位置情報を取得するようにしてもよい。または、ユーザ端末２０のオペレーティングシステムは、ユーザ端末２０と通信している無線ＬＡＮ基地局の位置情報に基づいてユーザ端末２０の位置情報を取得するようにしてもよい。
【００３８】  ユーザ端末２０のオペレーティングシステムはユーザ端末２０の位置情報を所定時間ごとに取得する。また、ユーザ端末２０で実行されるアプリケーションプログラムはその位置情報を利用することが可能である。
【００３９】  操作部２５はユーザが操作を行うためのものである。例えば、ユーザ端末２０が携帯電話又は携帯情報端末である場合、携帯電話又は携帯情報端末に備えられたボタン（キー）、スティック、又はタッチパネル等が操作部２５に相当する。また、ユーザ端末２０がパーソナルコンピュータである場合、パーソナルコンピュータに備えられたキー、スティック、タッチパッド、又はマウス等が操作部２５に相当する。
【００４０】  以下では、表示部２６上に重ねるようにして設けられたタッチパネルをユーザ端末２０が備えており、ユーザがタッチパネルを用いて操作を行う場合を想定して説明する。すなわち、ユーザがタッチパネル上に指又はタッチペンを接触させることによって、表示部２６に表示されたオブジェクトを選択（指定）する場合を想定して説明する。
【００４１】  表示部２６は例えば液晶表示パネル又は有機ＥＬ表示パネル等であり、制御部２１の指示に従って各種画面を表示する。音声出力部２７は例えばスピーカ、イヤホン、又はヘッドホン等であり、制御部２１の指示に従って各種音声を出力する。
【００４２】  なお、プログラム及びデータは通信ネットワーク２を介して記憶部２２に供給される。情報記憶媒体に記憶されたプログラム又はデータを読み出すための構成要素（例えば、メモリカードスロット部又は光ディスクドライブ部等）をユーザ端末２０が備えるようにしてもよい。そして、情報記憶媒体を介してプログラムやデータが記憶部２２に供給されるようにしてもよい。
【００４３】  店舗端末３０は広告主の店舗で使用される情報処理装置であり、例えばパーソナルコンピュータ等である。ユーザ端末２０と同様、店舗端末３０も制御部、記憶部、通信部、操作部、及び表示部等を含む。また店舗端末３０は、ユーザ端末２０の表示部２６に表示されたコード画像を読み取る機能を有し、例えば電子クーポンの利用を受け付けるために用いられる。
【００４４】  本実施形態の場合、広告サーバ１０では、ユーザ端末２０又は店舗端末３０からの処理要求を受け付けるためのデーモン（例えばＨＴＴＰデーモン）が起動される。一方、ユーザ端末２０又は店舗端末３０では、広告サーバ１０にアクセスするためのアプリケーションプログラムが起動され、このアプリケーションプログラムによって処理要求（例えばＨＴＴＰリクエスト）が広告サーバ１０に送信される。
【００４５】  そして、上記の処理要求に対する処理結果に関するデータ（例えばＨＴＴＰレスポンス）が広告サーバ１０からユーザ端末２０又は店舗端末３０に送信される。例えば、ウェブページ記述言語で記述されたページデータがユーザ端末２０又は店舗端末３０に送信される。そして、このページデータに基づいて、処理結果に基づく画面（ウェブページ）がユーザ端末２０又は店舗端末３０で表示される。
【００４６】  上記の構成を有する広告システム１では電子広告をユーザに提供する。例えば電子クーポン又は電子チラシをユーザに提供する。すなわちクーポン又はチラシを電子的にユーザに提供する。さらに言い換えればクーポンデータやチラシデータをユーザに提供する。
【００４７】  以下では、電子クーポンをユーザに提供する場合を例として説明する。なお、「クーポン」とは、店舗（現実の店舗）で特典を受けるための券である。例えば、「クーポン」は、店舗で商品を購入したり、サービスを利用したりする際の代金の割引を受けるための割引券や、店舗で品物と引き替えたり、店舗で所定のサービスを受けたりすることが可能な引換券である。
【００４８】  例えば、ユーザ端末２０の位置情報に基づいて、ユーザが店舗の近辺領域内に入ったか否かが判定され、ユーザが店舗の近辺領域内に入った場合に当該店舗で利用可能な電子クーポンがユーザに付与される。また例えば、電子クーポンは、ユーザが店舗で商品を購入した場合や、ユーザが店舗でサービスを利用した場合にユーザに付与されてもよい。なお、店舗からユーザに電子クーポンを直接付与する方法としては任意の方法を採用することができる。
【００４９】  特に、本実施形態に係る広告システム１では、ユーザが取得した電子クーポンを他のユーザに配布することが可能になっている。図２及び図３はこの機能の概要について説明するための図である。
【００５０】  本実施形態に係る広告システム１では、ユーザは自らの所有する電子クーポンを現実空間内の領域に仮想的に配置することができる。図２に示すように、電子クーポンＣを所有しているユーザＵ１は領域Ａ又は領域Ａの付近に移動し、ユーザ端末２０でアプリケーションプログラムを起動して所定の操作を行うことによって、その電子クーポンＣを領域Ａに関連付けることができる。
【００５１】  また、ユーザは他のユーザによって電子クーポンが仮想的に配置された領域まで移動することによって、その電子クーポンを取得することができる。図３に示すように、ユーザＵ２はユーザＵ１によって電子クーポンＣが関連付けられた領域Ａに移動し、ユーザ端末２０でアプリケーションプログラムを起動して所定の操作を行うことによって、その電子クーポンＣを取得することができる。
【００５２】  以下、ユーザが行うべき操作について説明する。図４〜図９は当該操作について説明するための図であり、図４〜図７及び図９はユーザ端末２０の表示部２６に表示される画面の一例を示す。これらの画面は、ユーザ端末２０と広告サーバ１０との間でデータ通信が行われることによって表示される。またここでは、ユーザから表示部２６が横長に見えるようにしてユーザがユーザ端末２０を持っている場合を想定して説明する。
【００５３】  広告サーバ１０によって提供されるサービスを利用する場合、ユーザは広告サーバ１０にアクセスするためのアプリケーションプログラムをユーザ端末２０において起動する。アプリケーションプログラムが起動された場合、ユーザ認証が実行された後、メニュー画面が表示される。
【００５４】  図４はメニュー画面の一例を示す。図４に示すメニュー画面４０には、三つのメニューボタン４２Ａ，４２Ｂ，４２Ｃと、ゲームポイント欄４４と、ショッピングポイント欄４６とが表示されている。なお、ゲームポイント欄４４はユーザの現在のゲームポイントの量を示す。また、ショッピングポイント欄４６は、ユーザが現在所有しているショッピングポイントの残高を示す。ショッピングポイントは現実又は仮想の店舗で利用することが可能である。すなわち、ユーザは商品を購入したり、サービスを受けたりする際に代金の全部又は一部にショッピングポイントを充当することができる。ゲームポイント及びショッピングポイントの詳細については後述する。
【００５５】  まず、電子クーポンを現実空間内の領域に仮想的に配置するための一連の操作について説明する。すなわち、電子クーポンを現実空間内の領域に関連付けるための一連の操作について説明する。なお以下では、「電子クーポンを現実空間内の領域に仮想的に配置する」ことや、「電子クーポンを現実空間内の領域に関連付ける」ことを、「電子クーポンを現実空間内の領域に登録する」と表現する。
【００５６】  メニューボタン４２Ａは、電子クーポンを現実空間内の領域に登録するためのボタンである。メニューボタン４２Ａが選択された場合、クーポン一覧画面が表示される。
【００５７】  図５はクーポン一覧画面の一例を示す。このクーポン一覧画面５０は、ユーザが現在所有している電子クーポンの一覧を示す画面である。図５に示すクーポン一覧画面５０には、複数のクーポンボタン５２と戻るボタン５４とが表示されている。戻るボタン５４はメニュー画面４０に戻るためのボタンである。
【００５８】  個々のクーポンボタン５２は、ユーザが所有している個々の電子クーポンに対応する。図５は、ユーザが四つの電子クーポンＣ１，Ｃ２，Ｃ３，Ｃ４を所有していることを示している。
【００５９】  クーポン一覧画面５０において、ユーザは現実空間内の領域に登録したい電子クーポン（以下、「登録対象の電子クーポン」と記載する。）を選択する。すなわち、ユーザはいずれかのクーポンボタン５２を選択することによって、登録対象の電子クーポンを選択する。登録対象の電子クーポンが選択された場合、クーポン画面が表示される。
【００６０】  図６はクーポン画面の一例を示す。クーポン画面６０は登録対象の電子クーポンの詳細を示す画面である。図６に示すクーポン画面６０にはクーポン６２が表示されている。すなわち、電子クーポンを利用可能な店舗や、電子クーポンによって受けることが可能な特典の内容が表示されている。また、クーポン画面６０にはコード画像６４が表示されている。コード画像６４は電子クーポンに関する識別情報をコード化してなる画像である。
【００６１】  クーポン画面６０には登録ボタン６６及び戻るボタン６８が表示されている。戻るボタン６８はクーポン一覧画面５０に戻るためのボタンである。クーポン画面６０に表示されている電子クーポンを登録対象の電子クーポンとして決定する場合、ユーザは登録ボタン６６を選択する。登録ボタン６６が選択された場合、区画指定画面が表示される。
【００６２】  図７は区画指定画面の一例を示す。区画指定画面７０は、電子クーポンを登録する対象の領域（以下、「登録対象の領域」と記載する。）を指定するための画面である。図７に示す区画指定画面７０には戻るボタン７８が表示されている。戻るボタン７８はクーポン画面６０に戻るためのボタンである。
【００６３】  また、図７に示す区画指定画面７０には、ユーザの直近の複数個の位置７４Ａ，７４Ｂ，７４Ｃ，７４Ｄ，７４Ｅの周辺の地図７２が表示されている。例えば、ユーザの直近の複数の位置７４Ａ，７４Ｂ，７４Ｃ，７４Ｄ，７４Ｅがすべて表示されるようにして地図７２が表示される。なお、図７では省略されているが、実際には地名、道路名、及び施設名等の情報が地図７２上に表示される。
【００６４】  さらに、区画指定画面７０では、登録対象の領域の候補である候補領域７６が地図７２上に表示されている。
【００６５】  図８は候補領域７６について説明するための図である。図８に示すように、広告システム１では、あらかじめ現実空間（地図）が複数の矩形状の区画８０に区切られている。そして、ユーザが移動した区画８０が候補領域７６として設定される。例えば、ユーザの直近の複数個の位置７４Ａ，７４Ｂ，７４Ｃ，７４Ｄ，７４Ｅを順番に結ぶ線７５が含まれる複数の区画８０が候補領域７６として設定される。
【００６６】  区画指定画面７０において、ユーザは、候補領域７６として設定された複数の区画８０のうちのいずれかを登録対象の領域として指定する。ユーザが複数の区画８０のうちのいずれかを登録対象の領域として指定すると、登録対象の電子クーポンと当該区画８０とが関連付けられ、登録対象の電子クーポンが当該区画８０に登録される。
【００６７】  なお、一つの区画８０に複数の異なる電子クーポンを登録することは可能であるが、一つの区画８０に複数の同一の電子クーポンを登録することはできない。このため、ユーザが移動した区画８０であっても、登録対象の電子クーポンと同一の電子クーポンが既に登録されている区画８０は候補領域７６として設定されない。そして、このような区画８０は候補領域７６として区画指定画面７０に表示されない。
【００６８】  図９はこの場合の区画指定画面７０の一例を示す。図９は、ユーザの位置７４Ｂを含む区画８０及びユーザの位置７４Ｅを含む区画８０に登録対象の電子クーポンと同一の電子クーポンが既に登録されている場合を示している。このため、図９に示す区画指定画面７０では、ユーザの位置７４Ｂを含む区画８０とユーザの位置７４Ｅを含む区画８０とが候補領域７６として表示されていない。
【００６９】  なお、電子クーポンの登録には有効期限が設定される。例えば、ユーザが電子クーポンを区画８０に登録してから所定時間（例えば３時間）が経過すると、他のユーザが同一の電子クーポンを登録できるようになる。上記所定時間が経過した後も、他のユーザが電子クーポンの登録を行うまでの間は、元のユーザが行った電子クーポンの登録が有効であり続ける。他のユーザが電子クーポンの登録を行うと、元のユーザが行った電子クーポンの登録は無効になる。
【００７０】  次に、現実空間内の領域に登録された電子クーポンを取得するための一連の操作について説明する。図４に示すメニューボタン４２Ｂは、現実空間内の領域に登録された電子クーポンを取得するためのボタンである。メニューボタン４２Ｂが選択された場合、クーポン一覧画面が表示される。
【００７１】  図１０はこの場合のクーポン一覧画面の一例を示す。このクーポン一覧画面９０は、ユーザが現在位置している区画８０に登録されている電子クーポンの一覧を示す画面である。図１０に示すクーポン一覧画面９０には複数のクーポンボタン９２と戻るボタン９４とが表示されている。戻るボタン９４はメニュー画面４０に戻るためのボタンである。
【００７２】  個々のクーポンボタン９２は、ユーザが現在位置している区画８０に登録されている個々の電子クーポンに対応する。図１０は、ユーザが現在位置している区画８０に二つの電子クーポンＣ１，Ｃ５が登録されている場合を示している。
【００７３】  クーポン一覧画面９０において、ユーザは取得したい電子クーポン（以下、「取得対象の電子クーポン」と記載する。）を選択する。すなわち、ユーザはいずれかのクーポンボタン９２を選択することによって、取得対象の電子クーポンを選択する。取得対象の電子クーポンが選択された場合、クーポン画面が表示される。
【００７４】  図１１はクーポン画面の一例を示す。クーポン画面１００は取得対象の電子クーポンの詳細を示す画面である。図１１に示すクーポン画面１００にはクーポン１０２が表示されている。また、コード画像１０４が表示されている。クーポン１０２及びコード画像１０４は図６に示すクーポン６２及びコード画像６４と同様である。
【００７５】  クーポン画面１００には取得ボタン１０６及び戻るボタン１０８が表示されている。戻るボタン１０８はクーポン一覧画面９０に戻るためのボタンである。ユーザが取得ボタン１０６を選択した場合、取得対象の電子クーポンがユーザに付与される。
【００７６】  なお、例えば、ユーザＵ１が登録した電子クーポンがユーザＵ２によって取得された場合、ユーザＵ１のゲームポイントが増加される。このように、ユーザが登録した電子クーポンが他のユーザによって取得されるごとに、ユーザのゲームポイントが増加される。また、広告システム１ではユーザのゲームポイントのランキングが発表される。
【００７７】  次に、ユーザが店舗で電子クーポンを利用するための一連の操作について説明する。図４に示すメニューボタン４２Ｃは電子クーポンを利用するためのボタンである。メニューボタン４２Ｃが選択された場合、クーポン一覧画面５０（図５）が表示される。
【００７８】  クーポン一覧画面５０において、ユーザはクーポンボタン５２を選択することによって、店舗で利用する電子クーポンを選択する。いずれかの電子クーポンが選択された場合、その電子クーポンの詳細を示すクーポン画面が表示される。このクーポン画面は図６に示すクーポン画面６０と同様である。ただし、この場合、登録ボタン６６は表示されない。
【００７９】  クーポン画面においてユーザがコード画像６４をタップすると、コード画像６４が拡大表示される。ユーザは拡大表示されたコード画像６４を店員に提示することによって、電子クーポンを利用することができる。コード画像６４が店舗端末３０によって読み取られると、電子クーポンが利用されたことが広告サーバ１０に通知される。
【００８０】  なお、例えば、ユーザＵ１によって登録された電子クーポンをユーザＵ２が取得して店舗で利用した場合、ユーザＵ１のショッピングポイントが増加される。このように、ユーザのショッピングポイントは、ユーザが登録した電子クーポンが他のユーザによって利用されるごとに増加される。
【００８１】  上記に説明した広告システム１では、電子クーポンを登録できる場所がユーザの過去位置に基づいて制限されるため、ユーザは電子クーポンを登録する場所又はその付近まで実際に行く必要がある。その結果として、無差別かつ大量に電子広告が登録されてしまうことが抑制される。
【００８２】  また広告システム１では、電子クーポンを登録できる場所がユーザの過去位置に基づいて設定されるため、ユーザは電子クーポンを登録する場所に実際に行く必要があり、実際の場所を見ることなくその場所に電子クーポンを登録することができにくくなっている。その結果、電子クーポンを提供する場所に適さない場所に電子クーポンを登録してしまうことが抑制される。
【００８３】  さらに広告システム１では、ユーザが移動した区画８０が電子クーポンを登録できる場所として設定される。ユーザが移動した区画８０は人の通行した区画８０であるため、上記のようにして候補領域７６を設定すれば、電子クーポンを登録することが可能な領域として、人が通行可能な区画８０がユーザに提示されるようになる。その結果、電子クーポンを提供する場所に適さない場所に電子クーポンを登録してしまうことが抑制される。
【００８４】  また広告システム１では、電子クーポンが位置ではなく、領域（区画８０）に登録される。このようなシステムでは、同一の電子クーポンが近い場所に複数登録されないようにする必要がある。この点、電子クーポンが領域に登録されている場合には、電子クーポンを領域に登録する際に、単に、その領域に同一の電子クーポンが登録されているか否かを確認するだけでよい。一方、電子クーポンが位置に登録されている場合には、電子クーポンを位置に登録する際に、その付近に登録されている同一の電子クーポンを探索する必要がある。このように、電子クーポンを領域に登録することによって、電子クーポンを位置に登録する場合に比べて処理を簡略化することが可能になる。
【００８５】  さらに広告システム１では、ユーザが登録した電子クーポンが他のユーザによって取得された場合、当該ユーザにゲームポイントが付与される。また、ユーザのゲームポイントのランキングが発表される。その結果、ゲームポイントの多さを競い合うという楽しみがユーザに与えられる。
【００８６】  また広告システム１では、ユーザが登録した電子クーポンが他のユーザによって取得されて利用された場合、当該ユーザにショッピングポイントが付与される。
【００８７】  広告システム１では、より多くのゲームポイント及びショッピングポイントを獲得するべく、ユーザはより多くの場所に電子クーポンを登録したり、より多くの他のユーザに取得してもらえるような場所に電子クーポンを登録したりするようになる。その結果、電子広告が積極的かつ効率的に行われるようになる。
【００８８】  なお、電子クーポンは繰り返し利用できるようにしてもよいし、電子クーポンは利用された場合に消費されるようにしてもよい。また、ユーザは自らが利用してない電子クーポンのみを登録できるようにしてもよい。また、ユーザが電子クーポンを登録した場合、その電子クーポンは利用できないようにしてもよい。また、電子クーポンの利用回数を制限するようにしてもよい。電子クーポンの登録回数も制限するようにしてもよい。
【００８９】  次に、広告システム１で実現される機能ブロックについて説明する。図１２は、広告システム１で実現される機能ブロックを示す機能ブロック図である。図１２に示すように、広告システム１は、記憶部１１０、第１位置情報取得部１１２、位置／領域設定部１１３、関連付け情報登録部１１４、第２位置情報取得部１１５、及び電子広告提供部１１６を含む。
【００９０】  まず記憶部１１０について説明する。例えば、記憶部１１０はデータベース１５によって実現される。記憶部１１０は電子広告を提供するために必要な情報を記憶する。記憶部１１０は関連付け情報記憶部１１１を含む。関連付け情報記憶部１１１は、電子広告と現実空間内の領域との関連付けを示す関連付け情報を記憶する。
【００９１】  図１３〜図１９は記憶部１１０に記憶される情報の一例を示す。図１３はユーザテーブルの一例を示す。ユーザテーブルは、広告サーバ１０によって提供されるサービスを利用するユーザの一覧を示す。例えば、ユーザテーブルは「ユーザＩＤ」、「パスワード」、「ユーザ名」、「メールアドレス」、「ゲームポイント」、及び「ショッピングポイント」フィールドを含む。
【００９２】  「ユーザＩＤ」フィールドはユーザを一意に識別するための識別情報を示す。「パスワード」フィールドはユーザによって指定されたパスワードを示す。「ユーザ名」及び「メールアドレス」フィールドはユーザの名前及びメールアドレスを示す。「ゲームポイント」フィールドはユーザのゲームポイントを示す。「ショッピングポイント」フィールドはユーザが所有しているショッピングポイントの残高を示す。
【００９３】  図１４はユーザ位置テーブルの一例を示す。ユーザ位置テーブルには、ユーザごとに直近のＮ（Ｎ：２以上の整数）個の位置情報が記憶される。例えば、ユーザ位置テーブルは「ユーザＩＤ」、「位置情報」、及び「取得日時」フィールドを含む。
【００９４】  「ユーザＩＤ」フィールドはユーザのユーザＩＤを示す。「位置情報」フィールドには、ユーザ端末２０から受信した位置情報が記憶される。「取得日時」フィールドは、位置情報が取得された日時を示す。
【００９５】  広告システム１では、ユーザ端末２０で起動されているアプリケーションプログラムによって、ユーザ端末２０の位置情報が定期的に広告サーバ１０に送信される。例えば、位置情報が取得されるごとに最新の位置情報が広告サーバ１０に送信される。また例えば、所定時間ごとに最新の位置情報が広告サーバ１０に送信される。また例えば、ユーザ端末２０と通信接続している携帯電話基地局が切り替わった場合に、最新の位置情報が広告サーバ１０に送信される。そして、ユーザ端末２０から受信した位置情報が「位置情報」フィールドに記憶される。
【００９６】  なお、所定時間ごとに最新の位置情報を広告サーバ１０に送信する場合、アプリケーションプログラムがアクティブである場合（すなわち、アプリケーションプログラムの画面が表示部２６に表示されている場合）と、アプリケーションプログラムがアクティブでない場合とで送信間隔を変えるようにしてもよい。例えば、アプリケーションプログラムがアクティブである場合には、第１時間（例えば５分）ごとに最新の位置情報を広告サーバ１０に送信し、アプリケーションプログラムがアクティブでない場合には、第１時間よりも長い第２時間（例えば１５分）ごとに最新の位置情報を広告サーバ１０に送信するようにしてもよい。
【００９７】  図１５は広告主テーブルの一例を示す。広告主テーブルは、広告サーバ１０によって提供されるサービスを利用する広告主の一覧を示す。例えば、広告主テーブルは「広告主ＩＤ」、「広告主名」、及び「所在地情報」フィールドを含む。
【００９８】  「広告主ＩＤ」フィールドは広告主を一意に識別するための識別情報を示す。「広告主名」フィールドは広告主の名称を示す。「所在地情報」フィールドには、広告主が営業する店舗の所在地を示す情報が記憶される。
【００９９】  図１６は電子クーポンテーブルの一例を示す。電子クーポンテーブルは、広告サーバ１０によって提供されている電子クーポンの一覧を示す。例えば、電子クーポンテーブルは「クーポンＩＤ」、「広告主ＩＤ」、「カテゴリー」、及び「クーポン情報」フィールドを含む。
【０１００】  「クーポンＩＤ」フィールドは電子クーポンを一意に識別するための識別情報を示す。「広告主ＩＤ」フィールドは電子クーポンの提供者（広告主）の広告主ＩＤを示す。「カテゴリー」フィールドは電子クーポンが属するカテゴリーを示す。「クーポン情報」フィールドには電子クーポンの内容を示す情報が記憶される。
【０１０１】  図１７は所有状況テーブルの一例を示す。所有状況テーブルは各ユーザが所有している電子クーポンの一覧を示す。例えば、所有状況テーブルは「ユーザＩＤ」、「クーポンＩＤ」、「登録ユーザＩＤ」、及び「利用履歴情報」フィールドを含む。
【０１０２】  「ユーザＩＤ」フィールドはユーザのユーザＩＤを示す。「クーポンＩＤ」フィールドは電子クーポンのクーポンＩＤを示す。電子クーポンが他のユーザによって登録された電子クーポンを取得した場合、電子クーポンを登録したユーザのユーザＩＤが「登録ユーザＩＤ」フィールドに記憶される。「利用履歴情報」フィールドには、ユーザによる電子クーポンの利用履歴を示す情報が記憶される。
【０１０３】  図１８は区画テーブルの一例を示す。区画テーブルは現実空間内に設定された複数の区画８０の一覧を示す。例えば、区画テーブルは「区画ＩＤ」及び「区画情報」フィールドを含む。
【０１０４】  「区画ＩＤ」フィールドは区画８０を一意に識別する識別情報を示す。「区画情報」フィールドには、区画８０を特定するための情報が登録される。区画８０は一定の大きさの矩形領域であるため、区画８０の代表点（例えば中心点又は左上頂点等）の位置（例えば緯度及び経度）を示す情報が「区画情報」フィールドに記憶される。
【０１０５】  図１９は登録状況テーブルの一例を示す。登録状況テーブルは現実空間内の領域に登録された電子クーポンの一覧を示す。例えば、登録状況テーブルは「登録クーポンＩＤ」、「クーポンＩＤ」、「区画ＩＤ」、「登録ユーザＩＤ」、「登録日時」、「有効期限」、及び「無効」フィールドを含む。
【０１０６】  「登録クーポンＩＤ」フィールドは、登録された電子クーポンを一意に識別する識別情報を示す。「クーポンＩＤ」フィールドは、登録された電子クーポンのクーポンＩＤを示す。「区画ＩＤ」フィールドは電子クーポンが登録された区画８０の区画ＩＤを示す。「登録ユーザＩＤ」フィールドは電子クーポンを登録したユーザのユーザＩＤを示す。
【０１０７】  「登録日時」フィールドは電子クーポンが登録された日時を示す。「有効期限」フィールドは、登録された電子クーポンの有効期限を示す。例えば、登録日時から所定時間（例えば３時間）が経過してなる日時が「有効期限」フィールドに登録される。
【０１０８】  「無効」フィールドは、登録された電子クーポンが無効であるか否かを示す。例えば値「０」又は「１」が「無効」フィールドに登録される。値「０」は電子クーポンが有効であることを示し、値「１」は電子クーポンが無効であることを示す。「無効」フィールドの初期値は「０」に設定され、登録された電子クーポンの有効期限が経過した場合に「無効」フィールドの値は「０」から「１」に更新される。
【０１０９】  なお、以上に説明した登録状況テーブルの各レコードは、電子クーポンと区画８０（現実空間内の領域）との関連付けを示しているため、先述の「関連付け情報」に相当する。
【０１１０】  次に、ユーザが電子広告（例えば電子クーポン）を現実空間内の領域（例えば区画８０）に関連付けることができるようにするための機能ブロックについて説明する。第１位置情報取得部１１２、位置／領域設定部１１３、及び関連付け情報登録部１１４が当該機能ブロックに相当する。
【０１１１】  第１位置情報取得部１１２について説明する。第１位置情報取得部１１２は、電子広告を現実空間内の領域に関連付けることを要求するユーザ（第１ユーザ）のユーザ端末２０において実現される。
【０１１２】  第１位置情報取得部１１２はユーザ（第１ユーザ）の位置に関する位置情報を取得する。例えば、第１位置情報取得部１１２は、ＧＰＳ受信部２４によって受信された信号に基づいて、ユーザ端末２０の位置情報（緯度及び経度）を取得する。または、第１位置情報取得部１１２は、ユーザ端末２０と通信している携帯電話基地局に基づいてユーザ端末２０の位置情報を取得するようにしてもよい。あるいは、第１位置情報取得部１１２は、ユーザ端末２０と通信している無線ＬＡＮ基地局に基づいてユーザ端末２０の位置情報を取得するようにしてもよい。
【０１１３】  第１位置情報取得部１１２はユーザ端末２０の位置情報を繰り返し取得する。例えば、第１位置情報取得部１１２はユーザ端末２０の位置情報を所定時間ごとに取得する。
【０１１４】  先述したように、本実施形態では、ユーザ端末２０の位置情報（すなわち、第１位置情報取得部１１２によって取得された位置情報）が定期的に広告サーバ１０に送信され、直近のＮ（Ｎ：２以上の整数）個の位置情報がユーザ位置テーブルに記憶される。
【０１１５】  例えば、位置情報が取得されるごとに最新の位置情報が広告サーバ１０に送信される。または、所定時間ごとに最新の位置情報が広告サーバ１０に送信される。あるいは、ユーザ端末２０と通信接続している携帯電話基地局が切り替わった場合に、最新の位置情報が広告サーバ１０に送信される。
【０１１６】  なお、第１位置情報取得部１１２によって取得された位置情報の履歴をユーザ端末２０の記憶部２２に記憶しておき、電子広告を現実空間内の領域に関連付けることを要求する操作が行われた場合に、ユーザ端末２０は、その時点で記憶部２２に記憶されている位置情報の履歴を広告サーバ１０に送信するようにしてもよい。なお、位置情報の履歴をユーザ端末２０から広告サーバ１０に送信する場合、プライバシーの観点からユーザの承諾を求めるようにしてもよい。
【０１１７】  例えば図４〜図９に示した例であれば、クーポン画面６０において登録ボタン６６を選択する操作が「電子広告を現実空間内の領域に関連付けることを要求する操作」に相当する。このため、登録ボタン６６が選択された場合に、ユーザ端末２０は、その時点で記憶部２２に記憶されている位置情報の履歴を広告サーバ１０に送信するようにしてもよい。
【０１１８】  位置／領域設定部１１３について説明する。位置／領域設定部１１３は広告サーバ１０の制御部１１によって実現される。すなわち、制御部１１がプログラムを実行することによって、制御部１１が位置／領域設定部１１３として機能するようになる。
【０１１９】  電子広告を現実空間内の領域に関連付ける旨の要求をユーザから受け付けた場合に、位置／領域設定部１１３は、当該ユーザの位置に関する位置情報を取得する第１位置情報取得部１１２によって当該要求を受け付けた時点よりも前に取得されていた位置情報、又は、当該位置情報を含む領域情報に基づいて、電子広告を関連付ける位置又は領域を設定する。
【０１２０】  例えば、位置／領域設定部１１３は、上記要求を受け付けた時点よりも前に第１位置情報取得部１１２によって取得されていた直近の所定複数個の位置情報、又は、当該所定複数個の位置情報のうちの少なくとも一つを含む領域情報に基づいて、電子広告を関連付ける位置又は領域を設定する。
【０１２１】  または、位置／領域設定部１１３は、上記要求を受け付けた時点よりも前に第１位置情報取得部１１２によって取得されていた直近の所定期間における複数の位置情報、又は、当該複数の位置情報のうちの少なくとも一つを含む領域情報に基づいて、電子広告を関連付ける位置又は領域を設定するようにしてもよい。なお、「直近の所定期間」とは、例えば現時点から所定時間前までの期間である。あるいは、「直近の所定期間」とは、例えば最新の位置情報が取得された時点から、Ｍ（Ｍ：１以上の整数）個前の位置情報が取得された時点までの期間であってもよい。
【０１２２】  本実施形態の場合、上記要求を受け付けた時点よりも前に第１位置情報取得部１１２によって取得されていた直近の所定複数個の位置情報がユーザ位置テーブルに記憶されている。このため、位置／領域設定部１１３は、上記要求を行ったユーザのユーザＩＤに関連付けられた複数の位置情報をユーザ位置テーブルから取得し、それら複数の位置情報を用いる。
【０１２３】  例えば図４〜図９に示した例では、クーポン画面６０の登録ボタン６６が選択された場合に、位置／領域設定部１１３は、その時点でユーザ位置テーブルに既に記憶されているユーザの複数の位置情報（すなわち、その時点よりも前に第１位置情報取得部１１２によって取得されていた複数の位置情報）に基づいて、ユーザが移動した区画８０を特定する。
【０１２４】  具体的には、位置／領域設定部１１３は、上記各位置情報を含む区画８０をユーザが移動した区画８０として特定する。また例えば、位置／領域設定部１１３は、上記複数の位置情報を結ぶ線（図７における線７５）を含む区画８０を、ユーザが移動した区画８０として特定する。
【０１２５】  例えば、ＧＰＳ受信部２４の受信結果に基づいて算出される緯度及び経度を示す情報が上記位置情報として用いられる場合、位置／領域設定部１１３は、当該緯度及び経度を含む区画８０を、ユーザが移動した区画８０として特定する。また例えば、位置／領域設定部１１３は、複数の緯度及び経度を結ぶ線（図７における線７５）を含む区画８０を、ユーザが移動した区画８０として特定する。
【０１２６】  また例えば、ユーザ端末２０と通信している携帯電話基地局に基づいて取得される情報が上記位置情報として用いられる場合、位置／領域設定部１１３は、携帯電話基地局の通信領域に含まれる区画８０を、ユーザが移動した区画８０として特定するようにしてもよい。あるいは、ユーザ端末２０と通信している無線ＬＡＮ基地局に基づいて取得される情報が上記位置情報として用いられる場合、位置／領域設定部１１３は、無線ＬＡＮ基地局の通信領域に含まれる区画８０を、ユーザが移動した区画８０として特定するようにしてもよい。
【０１２７】  なお先述したように、第１位置情報取得部１１２によって取得された位置情報の履歴をユーザ端末２０の記憶部２２に記憶しておき、クーポン画面６０の登録ボタン６６が選択された場合に、その時点で記憶部２２に記憶されている位置情報の履歴がユーザ端末２０から広告サーバ１０に送信されるようにしてもよい。この場合、位置／領域設定部１１３は、ユーザ端末２０から送信された上記位置情報の履歴に基づいて、ユーザが移動した区画８０を特定することになる。
【０１２８】  位置／領域設定部１１３は、ユーザが移動した区画８０を上記のようにして特定し、ユーザが移動した区画８０を、電子クーポンを登録する区画８０（登録対象の領域）として設定する。
【０１２９】  具体的には、位置／領域設定部１１３は、ユーザが移動した複数の区画８０を上記のようにして特定する。また、位置／領域設定部１１３は区画指定画面７０をユーザ端末２０に表示させることによって、ユーザが移動した複数の区画８０を候補領域７６としてユーザに提示する。
【０１３０】  そして、位置／領域設定部１１３は、候補領域７６として提示された複数の区画８０のうちの少なくとも一つの指定をユーザから受け付ける。また、位置／領域設定部１１３は、ユーザによって指定された区画８０を登録対象の領域として設定する。
【０１３１】  なお、位置／領域設定部１１３は、ユーザの指定を受け付けることなく、ユーザが移動した複数の区画８０のうちの少なくとも一つを登録対象の領域として自動的に設定するようにしてもよい。例えば、位置／領域設定部１１３は、ユーザが移動した複数の区画８０のうちの少なくとも一つを登録対象の領域としてランダムに設定するようにしてもよい。
【０１３２】  次に、関連付け情報登録部１１４について説明する。関連付け情報登録部１１４は広告サーバ１０の制御部１１によって実現される。すなわち、制御部１１がプログラムを実行することによって、制御部１１が関連付け情報登録部１１４として機能するようになる。
【０１３３】  関連付け情報登録部１１４は、登録対象の電子広告と、位置／領域設定部１１３によって設定された位置又は領域と、の関連付けを示す関連付け情報を関連付け情報記憶部１１１に登録する。
【０１３４】  例えば図４〜図９に示した例であれば、関連付け情報登録部１１４は、登録対象の電子クーポン（すなわち、クーポン一覧画面５０で選択された電子クーポン）と、登録対象の領域（すなわち、区画指定画面７０で指定された区画８０）と、の関連付けを示すレコードを登録状況テーブルに追加する。
【０１３５】  次に、現実空間内の領域に関連付けられた電子広告をユーザが取得できるようにするための機能ブロックについて説明する。第２位置情報取得部１１５及び電子広告提供部１１６が当該機能ブロックに相当する。
【０１３６】  第２位置情報取得部１１５について説明する。第２位置情報取得部１１５は、電子広告の提供を要求するユーザ（第２ユーザ）のユーザ端末２０において実現される。
【０１３７】  第２位置情報取得部１１５はユーザ（第２ユーザ）の位置に関する位置情報を取得する。例えば、第２位置情報取得部１１５は、ＧＰＳ受信部２４によって受信された信号に基づいて、ユーザ端末２０の位置情報（緯度及び経度）を取得する。または、第２位置情報取得部１１５は、ユーザ端末２０と通信している携帯電話基地局に基づいてユーザ端末２０の位置情報を取得するようにしてもよい。あるいは、第２位置情報取得部１１５は、ユーザ端末２０と通信している無線ＬＡＮ基地局に基づいてユーザ端末２０の位置情報を取得するようにしてもよい。
【０１３８】  第２位置情報取得部１１５はユーザ端末２０の位置情報を繰り返し取得する。例えば、第２位置情報取得部１１２はユーザ端末２０の位置情報を所定時間ごとに取得する。
【０１３９】  先述のように、本実施形態では、ユーザ端末２０の位置情報（すなわち、第２位置情報取得部１１２によって取得された位置情報）が定期的に広告サーバ１０に送信される。そして、直近のＮ（Ｎ：２以上の整数）個の位置情報がユーザ位置テーブルに記憶されている。
【０１４０】  例えば、位置情報が取得されるごとに最新の位置情報が広告サーバ１０に送信される。または、所定時間ごとに最新の位置情報が広告サーバ１０に送信される。あるいは、ユーザ端末２０と通信接続している携帯電話基地局が切り替わった場合に、最新の位置情報が広告サーバ１０に送信される。
【０１４１】  なお、ユーザ端末２０の位置情報を定期的に広告サーバ１０に送信するのではなく、電子広告の提供を要求する操作が行われた場合に、ユーザ端末２０の最新の位置情報を広告サーバ１０に送信するようにしてもよい。
【０１４２】  例えば図１０及び図１１に示した例であれば、クーポン画面１００において取得ボタン１０６を選択する操作が「電子広告の提供を要求する操作」に相当する。このため、取得ボタン１０６が選択された場合に、ユーザ端末２０の最新の位置情報を広告サーバ１０に送信するようにしてもよい。この場合、取得ボタン１０６が選択された時点で既に取得されている直近の位置情報を最新の位置情報として広告サーバ１０に送信するようにしてもよいし、ユーザ端末２０の位置情報を新たに取得し、当該新たに取得された位置情報を最新の位置情報として広告サーバ１０に送信するようにしてもよい。
【０１４３】  電子広告提供部１１６について説明する。電子広告提供部１１６は広告サーバ１０の制御部１１によって実現される。すなわち、制御部１１がプログラムを実行することによって、制御部１１が電子広告提供部１１６として機能するようになる。
【０１４４】  電子広告の提供の要求をユーザ（第２ユーザ）から受け付けた場合に、電子広告提供部１１６は、第２位置情報取得部１１５によって取得された当該ユーザの位置情報と、関連付け情報記憶部１１１に登録された位置又は領域と、に基づいて、関連付け情報記憶部１１１に登録された電子広告の中から当該ユーザに提供する電子広告を抽出し、当該電子広告を当該ユーザに提供する。
【０１４５】  例えば図１０及び図１１に示した例であれば、電子広告提供部１１６は、第２位置情報取得部１１５によって取得された位置情報が示す位置を含む区画８０に登録された電子クーポンをユーザに提供する。
【０１４６】  なお、電子広告提供部１１６は、第２位置情報取得部１１５によって取得された位置情報が示す位置を含む区画８０だけでなく、当該区画８０の周辺に位置する区画８０に登録されている電子クーポンもユーザに提供するようにしてもよい。例えば、電子広告提供部１１６は、上記区画８０を囲んでいる八つの区画８０に登録されている電子クーポンもユーザに提供するようにしてもよい。
【０１４７】  または、電子広告提供部１１６は、第２位置情報取得部１１５によって取得された位置情報が示す位置からの距離が基準距離以下である区画８０に登録されている電子クーポンをユーザに提供するようにしてもよい。
【０１４８】  次に、広告システム１で実行される処理について説明する。図２０及び図２１はメニュー画面４０のメニューボタン４２Ａが選択された場合に実行される処理の一例を示す。広告サーバ１０の制御部１１が図２０及び図２１に示す処理をプログラムに従って実行することによって、制御部１１が位置／領域設定部１１３及び関連付け情報登録部１１４として機能するようになる。
【０１４９】  メニュー画面４０のメニューボタン４２Ａが選択された場合、ユーザ端末２０の制御部２１はクーポン一覧画面５０のデータを広告サーバ１０に要求する（Ｓ１０１）。この場合、ユーザのユーザＩＤが広告サーバ１０に送信される。
【０１５０】  上記要求が広告サーバ１０で受信された場合、広告サーバ１０の制御部１１は、ユーザが所有している電子クーポンの一覧を取得する（Ｓ１０２）。制御部１１は所有状況テーブルにアクセスし、ユーザ端末２０から受信したユーザＩＤが「ユーザＩＤ」フィールドに記憶されているレコードを取得することによって、ユーザが所有している電子クーポンの一覧を取得する。そして、取得された一覧に基づいて、制御部１１はクーポン一覧画面５０のデータを生成し、当該データをユーザ端末２０に送信する（Ｓ１０３）。また、当該データに基づいて、ユーザ端末２０の制御部２１はクーポン一覧画面５０を表示部２６に表示する（Ｓ１０４）。
【０１５１】  クーポン一覧画面５０が表示部２６に表示されている間、制御部２１はいずれかのクーポンボタン５２が選択されたか否かを監視する。いずれかのクーポンボタン５２が選択された場合、制御部２１はクーポン画面６０のデータを広告サーバ１０に要求する（Ｓ１０５）。この場合、ユーザのユーザＩＤと、ユーザによって選択されたクーポンボタン５２に対応する電子クーポン（すなわち、登録対象の電子クーポン）のクーポンＩＤとが広告サーバ１０に送信される。
【０１５２】  上記要求が広告サーバ１０で受信された場合、広告サーバ１０の制御部１１はクーポン情報を取得する（Ｓ１０６）。すなわち、制御部１１は電子クーポンテーブルにアクセスし、ユーザ端末２０から受信したクーポンＩＤが「クーポンＩＤ」フィールドに記憶されているレコードを取得する。そして、取得されたレコードの各フィールドに記憶された情報に基づいて、制御部１１はクーポン画面６０のデータを生成する。なお、この際、制御部１１はユーザＩＤ、クーポンＩＤ、及び登録ユーザＩＤの組合せをコード化してなるコード画像６４を生成する。
【０１５３】  制御部１１はクーポン画面６０のデータをユーザ端末２０に送信する（Ｓ１０７）。また、当該データに基づいて、ユーザ端末２０の制御部２１はクーポン画面６０を表示部２６に表示する（Ｓ１０８）。
【０１５４】  クーポン画面６０が表示部２６に表示されている間、制御部２１は登録ボタン６６が選択されたか否かを監視する。登録ボタン６６が選択された場合、図２１に示すように、制御部２１は区画指定画面７０のデータを広告サーバ１０に要求する（Ｓ１０９）。この場合、ユーザのユーザＩＤと、登録対象の電子クーポンのクーポンＩＤとが広告サーバ１０に送信される。
【０１５５】  上記要求が広告サーバ１０で受信された場合、広告サーバ１０の制御部１１は候補領域７６を設定する（Ｓ１１０）。まず、制御部１１はユーザ位置テーブルにアクセスし、ユーザの複数の位置情報を読み出す。また、読み出した複数の位置情報と区画テーブルとに基づいて、制御部１１はユーザが移動した区画８０を特定する。例えば図９に示すように、制御部１１は、ユーザの位置７４Ａ〜７４Ｅを順番に結ぶ線７５が含まれる複数の区画８０を候補領域７６として設定する。
【０１５６】  なお、制御部１１は登録状況テーブルにアクセスし、ユーザが移動した区画８０のうちに、登録対象の電子クーポンと同一の電子クーポンが登録されている区画８０が存在しているか否かを判定する。そして、そのような区画８０が存在していたら、制御部１１はその区画８０を候補領域７６として設定しない。
【０１５７】  その後、制御部１１は区画指定画面７０のデータを生成し、当該データをユーザ端末２０に送信する（Ｓ１１１）。また、当該データに基づいて、ユーザ端末２０の制御部２１は区画指定画面７０を表示部２６に表示する（Ｓ１１２）。区画指定画面７０が表示されることによって、ステップＳ１１０で候補領域７６として設定された区画８０がユーザに提示される。
【０１５８】  区画指定画面７０が表示部２６に表示されている間、制御部２１は、候補領域７６として設定された複数の区画８０のうちのいずれかが指定されたか否かを監視する。いずれかの区画８０が指定された場合、制御部２１はユーザによって指定された区画８０を広告サーバ１０に通知する（Ｓ１１３）。この場合、ユーザのユーザＩＤと、登録対象の電子クーポンのクーポンＩＤと、ユーザによって指定された区画８０の区画ＩＤとが広告サーバ１０に送信される。
【０１５９】  上記要求が広告サーバ１０で受信された場合、広告サーバ１０の制御部１１（位置／領域設定部１１３及び関連付け情報登録部１１４）は、ユーザによって指定された区画８０を登録対象の区画８０として、登録対象の電子クーポンと登録対象の区画８０との関連付けを登録する（Ｓ１１４）。
【０１６０】  具体的には、制御部１１は登録状況テーブルに新たなレコードを追加する。そして、制御部１１は登録クーポンＩＤを新たに生成し、当該登録クーポンＩＤを上記新たなレコードの「登録クーポンＩＤ」フィールドに登録する。
【０１６１】  また制御部１１は、ユーザ端末２０から受信したクーポンＩＤを上記新たなレコードの「クーポンＩＤ」フィールドに登録する。さらに制御部１１は、ユーザ端末２０から受信した区画ＩＤを上記新たなレコードの「区画ＩＤ」フィールドに登録する。また制御部１１は、ユーザ端末２０から受信したユーザＩＤを上記新たなレコードの「登録ユーザＩＤ」フィールドに登録する。
【０１６２】  さらに制御部１１は現在日時を上記新たなレコードの「登録日時」フィールドに登録し、現在日時から所定時間が経過してなる日時を上記新たなレコードの「有効期限」フィールドに登録する。また制御部１１は値「０」を上記新たなレコードの「無効」フィールドに登録する。
【０１６３】  ステップＳ１１４の処理が完了した場合、制御部１１は、関連付けが正常に完了したことを示す完了画面のデータをユーザ端末２０に送信する（Ｓ１１５）。そして、ユーザ端末２０の表示部２６には完了画面が表示される（Ｓ１１６）。以上で、メニュー画面４０のメニューボタン４２Ａが選択された場合に実行される処理は完了する。
【０１６４】  図２２はメニュー画面４０のメニューボタン４２Ｂが選択された場合に実行される処理の一例を示す。広告サーバ１０の制御部１１が図２２に示す処理をプログラムに従って実行することによって、制御部１１が電子広告提供部１１６として機能するようになる。
【０１６５】  メニュー画面４０のメニューボタン４２Ｂが選択された場合、ユーザ端末２０の制御部２１はクーポン一覧画面９０のデータを広告サーバ１０に要求する（Ｓ２０１）。この場合、ユーザのユーザＩＤが広告サーバ１０に送信される。
【０１６６】  上記要求が広告サーバ１０で受信された場合、広告サーバ１０の制御部１１は、ユーザが位置している区画８０に登録されている電子クーポンの一覧を取得する（Ｓ２０２）。すなわち、制御部１１はユーザが取得可能な電子クーポンの一覧を取得する。
【０１６７】  まず、制御部１１はユーザ位置テーブルにアクセスし、ユーザの最新の位置情報を読み出す。また、制御部１１は区画テーブルにアクセスし、当該位置情報が示す位置を含む区画８０の区画ＩＤを取得する。さらに、制御部１１は登録状況テーブルにアクセスし、当該区画ＩＤが「区画ＩＤ」フィールドに記憶されており、かつ、値「０」が「無効」フィールドに登録されているレコードを取得することによって、ユーザが位置している区画８０に登録されている電子クーポンの一覧を取得する。
【０１６８】  そして、制御部１１は、ステップＳ２０２の取得結果に基づいて、クーポン一覧画面９０のデータを生成し、当該データをユーザ端末２０に送信する（Ｓ２０３）。そして、当該データに基づいて、ユーザ端末２０の制御部２１はクーポン一覧画面９０を表示部２６に表示する（Ｓ２０４）。
【０１６９】  クーポン一覧画面９０が表示部２６に表示されている間、制御部２１はいずれかのクーポンボタン９２が選択されたか否かを監視する。いずれかのクーポンボタン９２が選択された場合、制御部２１はクーポン画面１００のデータを広告サーバ１０に要求する（Ｓ２０５）。この場合、ユーザ端末２０を使用しているユーザＩＤと、ユーザによって選択されたクーポンボタン９２に対応する電子クーポン（すなわち、取得対象の電子クーポン）のクーポンＩＤとが広告サーバ１０に送信される。
【０１７０】  上記要求が広告サーバ１０で受信された場合、広告サーバ１０の制御部１１はクーポン情報を取得する（Ｓ２０６）。すなわち、制御部１１は電子クーポンテーブルにアクセスし、ユーザ端末２０から受信されたクーポンＩＤが「クーポンＩＤ」フィールドに登録されているレコードを取得する。そして、制御部１１は、取得されたレコードの各フィールドに登録された情報に基づいて、クーポン画面１００のデータを生成する。なお、この際、制御部１１はユーザＩＤ、クーポンＩＤ、及び登録ユーザＩＤの組合せをコード化してなるコード画像１０４を生成する。
【０１７１】  制御部１１はクーポン画面１００のデータをユーザ端末２０に送信する（Ｓ２０７）。また、当該データに基づいて、ユーザ端末２０の制御部２１はクーポン画面１００を表示部２６に表示する（Ｓ２０８）。
【０１７２】  クーポン画面１００が表示部２６に表示されている間、制御部２１は取得ボタン１０６が選択されたか否かを監視する。取得ボタン１０６が選択された場合、制御部２１は電子クーポンの提供を広告サーバ１０に要求する（Ｓ２０９）。この場合、ユーザのユーザＩＤと、取得対象の電子クーポンの登録クーポンＩＤとが広告サーバ１０に送信される。
【０１７３】  上記要求が広告サーバ１０で受信された場合、広告サーバ１０の制御部１１（電子広告提供部１１６）は電子クーポンをユーザに付与する（Ｓ２１０）。
【０１７４】  まず、制御部１１は登録状況テーブルにアクセスし、ユーザ端末２０から受信した登録クーポンＩＤに関連付けられているクーポンＩＤ及び登録ユーザＩＤを取得する。すなわち、制御部１１は登録クーポンＩＤが「登録クーポンＩＤ」フィールドに記憶されているレコードを読み出し、当該レコードの「クーポンＩＤ」及び「登録ユーザＩＤ」フィールドに記憶されたクーポンＩＤ及び登録ユーザＩＤを取得する。
【０１７５】  また、制御部１１は所有状況テーブルに新たなレコードを追加する。そして、制御部１１はユーザ端末２０から受信したユーザＩＤを上記新たなレコードの「ユーザＩＤ」フィールドに登録する。また、制御部１１は登録状況テーブルから取得したクーポンＩＤ及び登録ユーザＩＤを上記新たなレコードの「クーポンＩＤ」及び「登録ユーザＩＤ」フィールドに登録する。
【０１７６】  その後、制御部１１は、ステップＳ２１０においてユーザに付与した電子クーポンを登録したユーザのゲームポイントを増加する（Ｓ２１１）。すなわち、制御部１１は、ユーザテーブルのレコードのうちの、ステップＳ２１０において登録状況テーブルから取得した登録ユーザＩＤが「ユーザＩＤ」フィールドに記憶されたレコードにアクセスし、当該レコードの「ゲームポイント」フィールドの値に所定値を加算する。
【０１７７】  ステップＳ２１１が実行された後、制御部１１はクーポン一覧画面５０のデータを生成し、当該データをユーザ端末２０に送信する（Ｓ２１２）。そして、ユーザ端末２０では、クーポン一覧画面５０が当該データに基づいて表示部２６に表示される（Ｓ２１３）。以上で、メニュー画面４０のメニューボタン４２Ｂが選択された場合に実行される処理は完了する。
【０１７８】  図２３は、店舗において電子クーポンが利用された場合に実行される処理の一例を示す。すなわち、ユーザ端末２０の表示部２６に表示されたコード画像６４が店舗端末３０によって読み取られた場合に実行される処理の一例を示す。
【０１７９】  図２３に示すように、店舗において電子クーポンが利用された場合、店舗端末３０は電子クーポンが利用されたことを広告サーバ１０に通知する（Ｓ３０１）。この場合、店舗端末３０はコード画像６４からユーザＩＤ、クーポンＩＤ、及び登録ユーザＩＤを読み取り、それらのユーザＩＤ、クーポンＩＤ、及び登録ユーザＩＤを広告サーバ１０に送信する。
【０１８０】  上記通知が広告サーバ１０で受信された場合、広告サーバ１０の制御部１１は電子クーポンの利用履歴情報を更新する（Ｓ３０２）。具体的には、制御部１１は、所有状況テーブルのレコードのうちの、ユーザ端末２０から受信したユーザＩＤ及びクーポンＩＤが「ユーザＩＤ」及び「クーポンＩＤ」フィールドに記憶されたレコードにアクセスし、当該レコードの「利用履歴情報」フィールドを更新する。
【０１８１】  さらに、制御部１１は、利用された電子クーポンを登録したユーザのショッピングポイントを増加する（Ｓ３０３）。具体的には、制御部１１は、ユーザテーブルのレコードのうちの、ユーザ端末２０から受信した登録ユーザＩＤが「ユーザＩＤ」フィールドに記憶されたレコードにアクセスし、当該レコードの「ショッピングポイント」フィールドの値に所定値を加算する。
【０１８２】  ステップＳ３０３が実行された後、制御部１１は処理が完了したことを店舗端末３０に通知する（Ｓ３０４）。以上で、店舗において電子クーポンが利用された場合に実行される処理は完了する。
【０１８３】  以上に説明した実施形態に係る広告システム１によれば、電子クーポンを登録できる場所がユーザの過去位置に基づいて設定される。このため、電子クーポンを登録するために、ユーザは電子クーポンを登録する場所に実際に行く必要がある。その結果、無差別かつ大量に電子広告が登録されてしまうことを抑制することができる。また、電子クーポンを提供する場所に適さない場所に電子クーポンを登録してしまうことも抑制することができる。
【０１８４】  また広告システム１によれば、ユーザが移動した区画８０が電子クーポンを登録できる場所として設定される。ユーザが移動した区画８０は人の通行量のある区画８０であるため、広告システム１によれば電子クーポンを登録することが可能な領域として、人の通行量のある区画８０をユーザに提示できるようになる。その結果、電子クーポンを提供する場所に適さない場所に電子クーポンを登録してしまうことも抑制することができる。
【０１８５】  さらに広告システム１では、ユーザによって電子クーポンの登録が要求された場合（すなわち、クーポン画面６０の登録ボタン６６が選択された場合）、事前に取得された位置情報（ユーザ位置テーブルに記憶された位置情報）に基づいて、処理（図２１のステップＳ１１０）が実行される。このため、ユーザによって電子クーポンの登録が要求された際にユーザ端末２０の位置情報を改めて取得する必要がなく、その分、レスポンスを早めることができる。
【０１８６】  また広告システム１では、ユーザが登録した電子クーポンが他のユーザによって取得された場合、当該ユーザにゲームポイントが付与される。さらに、ユーザが登録した電子クーポンが他のユーザによって取得されて利用された場合、当該ユーザにショッピングポイントが付与される。広告システム１によれば、ゲームポイントの多さを競い合うという楽しみをユーザに与えることが可能になる。また、電子広告が積極的かつ効率的に行われるように促すことが可能になる。
【０１８７】  なお、以上に説明した実施形態では、電子クーポンが位置ではなく、領域（区画８０）に関連付けられるようになっている。本実施形態によれば、同一の電子クーポンが近い場所に複数登録されないようにするための処理を簡略化することが可能になる。
【０１８８】  なお、本発明は以上に説明した実施形態に限定されるものではない。
【０１８９】  ［１］例えば、以上に説明した実施形態では、複数の区画８０が予め設定されていたが、複数の区画８０は予め設定されていなくてもよい。
【０１９０】  例えば、位置／領域設定部１１３は、第１位置情報取得部１１２によって取得された位置情報を含む領域を、ユーザが移動した領域として特定するようにしてもよい。具体的には、位置／領域設定部１１３は、第１位置情報取得部１１２によって取得された位置情報を中心として設定される領域（例えば矩形領域又は円形領域等）を、ユーザが移動した領域として特定するようにしてもよい。そして、位置／領域設定部１１３は、当該領域を候補領域７６として設定するようにしてもよい。
【０１９１】  例えば、ＧＰＳ受信部２４の受信結果に基づいて算出される緯度及び経度を示す情報が上記位置情報として用いられる場合、位置／領域設定部１１３は、当該緯度及び経度を含む領域を、ユーザが移動した領域として特定するようにしてもよい。
【０１９２】  または、ユーザ端末２０と通信している携帯電話基地局に基づいて取得される情報が上記位置情報として用いられる場合、位置／領域設定部１１３は、携帯電話基地局の通信領域自体、又は、携帯電話基地局の通信領域を含む領域を、ユーザが移動した領域として特定するようにしてもよい。あるいは、ユーザ端末２０と通信している無線ＬＡＮ基地局に基づいて取得される情報が上記位置情報として用いられる場合、位置／領域設定部１１３は、無線ＬＡＮ基地局の通信領域自体、又は、無線ＬＡＮ基地局の通信領域を含む領域を、ユーザが移動した領域として特定するようにしてもよい。
【０１９３】  ［２］例えば、広告システム１（広告サーバ１０）は下記に説明するような推定部を含むようにしてもよい。
【０１９４】  電子広告を現実空間内の領域に関連付ける旨の要求をユーザ（第１ユーザ）から受け付けた場合に、推定部は、当該要求を受け付けた時点よりも前に第１位置情報取得部１１２によって取得されていた位置情報、又は、当該位置情報を含む領域情報に基づいて、当該ユーザの現在位置、又は、当該ユーザが現在位置している領域を推定する。
【０１９５】  ここで、図９に示す例において、位置７４Ａが最新の位置であり、位置７４Ｂが一つ前の位置であると仮定する。この場合、まず、推定部は、ユーザが位置７４Ｂから位置７４Ａに移動した場合の移動速度を算出する。すなわち、推定部は位置７４Ａと位置７４Ｂとの間の距離を算出する。また、推定部は位置７４Ａの取得日時と位置７４Ｂの取得日時との間の時間を算出する。そして、推定部はこれらの距離及び時間に基づいて移動速度を算出する。
【０１９６】  さらに、推定部は位置７４Ａの取得日時からの経過時間を算出する。そして、推定部は、ユーザが位置７４Ｂから位置７４Ａへと伸ばした直線の延長線方向に上記の移動速度で上記の経過時間移動したと仮定して、ユーザの現在位置を推定する。言い換えれば、推定部は、ユーザが位置７４Ｂから位置７４Ａへと伸ばした直線の延長線方向に上記の移動速度で上記の経過時間移動したと仮定して、ユーザが現在位置している区画８０を推定する。
【０１９７】  この変形例の場合、位置／領域設定部１１３は、推定部によって推定された、ユーザの現在位置、又は、ユーザが現在位置している区画８０に基づいて、電子広告を関連付ける位置又は領域を設定する。
【０１９８】  例えば、位置／領域設定部１１３は、ユーザが現在位置していると推定部によって推定された区画８０を候補領域７６として設定する。またこの場合、位置／領域設定部１１３は、上記区画８０の周辺の区画（例えば上記区画８０の四方又は八方の隣接する区画８０）も候補領域７６として設定するようにしてもよい。
【０１９９】  なお例えば、この変形例と先述の変形例１とを組み合わせるようにしてもよい。すなわち、位置／領域設定部１１３は、推定部によって推定されたユーザの現在位置を含む領域を、電子広告を関連付ける領域として設定するようにしてもよい。例えば、位置／領域設定部１１３は、推定部によって推定されたユーザの現在位置を中心とする領域（例えば矩形領域又は円形領域）を、電子広告を関連付ける領域として設定するようにしてもよい。また例えば、位置／領域設定部１１３は、推定部によって推定されたユーザの現在位置を、電子広告を関連付ける位置として設定するようにしてもよい。
【０２００】  ［３］位置／領域設定部１１３は、ユーザの過去位置を、電子広告を関連付ける位置として設定するようにしてもよい。
【０２０１】  例えば図４〜図９に示した例の場合であれば、位置／領域設定部１１３はユーザの複数の位置７４Ａ〜７４Ｅをユーザに提示する。すなわち、位置／領域設定部１１３は区画指定画面７０をユーザ端末２０に表示させることによって、ユーザの複数の位置７４Ａ〜７４Ｅをユーザに提示する。ただし、この場合、候補領域７６を区画指定画面７０に表示する必要はない。
【０２０２】  そして、位置／領域設定部１１３は、ユーザの複数の位置７４Ａ〜７４Ｅのうちの少なくとも一つの指定をユーザから受け付ける。また、位置／領域設定部１１３は、複数の位置７４Ａ〜７４Ｅのうちからユーザによって指定された位置を、電子クーポンを登録する位置として設定する。
【０２０３】  またこの場合、電子広告提供部１１６は、第２位置情報取得部１１５によって取得された情報が示す位置からの距離が基準距離以下である領域内の位置に登録されている電子クーポンをユーザに提供するようにすればよい。
【０２０４】  なお、位置／領域設定部１１３は、ユーザの指定を受け付けることなく、ユーザの複数の位置７４Ａ〜７４Ｅのうちの少なくとも一つを、電子クーポンを登録する位置として設定するようにしてもよい。例えば、位置／領域設定部１１３は、ユーザの複数の位置７４Ａ〜７４Ｅのうちの少なくとも一つを、電子クーポンを登録する領域としてランダムに設定するようにしてもよい。
【０２０５】  ［４］先述のように、位置／領域設定部１１３は、登録対象の電子広告と所定の関係を有する電子広告が既に登録されている区画８０を候補領域７６として設定しないようになっている。このような場合、位置／領域設定部１１３は、候補領域７６として設定されない上記区画８０の代替領域を、第１位置情報取得部１１２によって取得された情報に基づいて設定し、当該代替領域を候補領域７６として設定するようにしてもよい。
【０２０６】  図２４は、代替領域が候補領域に加えられた場合の区画指定画面７０の一例を示す。図２４に示す例では、図９に示した例と同様に二つの区画８０が候補領域７６として設定されていない。すなわち、ユーザの位置７４Ｂを含む区画８０とユーザの位置７４Ｅを含む区画８０とが候補領域７６として設定されていない。しかしながら、ユーザが移動した区画８０以外の区画８０のうちから二つの区画８０が代替領域１２０として設定され、それら二つの区画８０が候補領域７６として設定されている。
【０２０７】  すなわち、ユーザの位置７４Ｂを含む区画８０に隣接する区画８０（上隣の区画８０）と、ユーザの位置７４Ｂを含む区画８０に隣接する区画８０（下隣の区画８０）とが代替領域１２０として設定され、その結果として、候補領域７６として設定されている。
【０２０８】  ［４−１］なお、位置／領域設定部１１３は特定の道路を含む区画８０のうちから代替領域１２０を選択するようにしてもよい。すなわち、位置／領域設定部１１３は、候補領域７６（又はユーザの位置）からの距離が基準距離未満である区画８０であって、かつ、特定の道路を含む区画８０を代替領域１２０として選択するようにしてもよい。
【０２０９】  ここで、「特定の道路」とは主要な道路であり、例えば人の通行量が多い道路である。また、「候補領域７６からの距離」とは、候補領域７６の中心からの距離であってもよいし、候補領域７６の境界からの距離であってもよい。
【０２１０】  この場合、特定の道路を含むか否かを示す情報が区画８０ごとに記憶される。例えば、「特定道路」フィールドが区画テーブルに追加され、区画８０が特定の道路を含むか否かを示す情報が「特定道路」フィールドに記憶される。また、この区画テーブルに基づいて、位置／領域設定部１１３は区画８０が特定の道路を含むか否かを判定する。そして、この判定結果に基づいて、位置／領域設定部１１３は代替領域１２０を設定する。なお、位置／領域設定部１１３は道路地図情報を参照することによって、区画８０が特定の道路を含むか否かを判定するようにしてもよい。
【０２１１】  以上のようにすれば、人の通行量が多い区画８０が代替領域１２０として候補領域７６に設定されるようになる。すなわち、人の通行量が多い区画８０を登録対象の領域としてユーザが指定できるようになる。
【０２１２】  ［４−２］また例えば、位置／領域設定部１１３は特定の施設を含む区画８０のうちから代替領域１２０を選択するようにしてもよい。すなわち、位置／領域設定部１１３は、候補領域７６（又はユーザの位置）からの距離が基準距離未満である区画８０であって、かつ、特定の施設を含む区画８０を代替領域１２０として選択するようにしてもよい。
【０２１３】  ここで、「特定の施設」とは人が集まりやすい施設であり、例えばコンビニエンスストア等である。
【０２１４】  この場合、特定の施設を含むか否かを示す情報が区画８０ごとに記憶される。例えば、「特定施設」フィールドが区画テーブルに追加され、区画８０が特定の施設を含むか否かを示す情報が「特定施設」フィールドに記憶される。また、この区画テーブルに基づいて、位置／領域設定部１１３は区画８０が特定の施設を含むか否かを判定する。そして、この判定結果に基づいて、位置／領域設定部１１３は代替領域１２０を設定する。なお、位置／領域設定部１１３は道路地図情報を参照することによって、区画８０が特定の施設を含むか否かを判定するようにしてもよい。
【０２１５】  以上のようにすれば、人が集まりやすい区画８０が代替領域１２０として候補領域７６に設定されるようになる。すなわち、人が集まりやすい区画８０を登録対象の領域としてユーザが指定できるようになる。
【０２１６】  ［４−３］また例えば、位置／領域設定部１１３は人の通行量に基づいて代替領域１２０を設定するようにしてもよい。
【０２１７】  この場合、人の通行量を示す情報が区画８０ごとに記憶される。例えば、「通行量」フィールドが区画テーブルに追加され、区画８０の通行量に関する情報が「通行量」フィールドに記憶される。そして、位置／領域設定部１１３は区画テーブルに基づいて代替領域１２０を選択する。
【０２１８】  位置／領域設定部１１３は、候補領域７６（又はユーザの位置）からの距離が基準距離未満である区画８０のうちから、代替領域１２０を、各区画８０の通行量に基づいて選択する。例えば、位置／領域設定部１１３は通行量の多い区画８０から順番に代替領域１２０として選択する。また例えば、位置／領域設定部１１３は、通行量が基準量以上である区画８０を代替領域１２０として選択するようにしてもよい。
【０２１９】  以上のようにすれば、人の通行量が多い区画８０が代替領域１２０として候補領域７６に設定されるようになる。すなわち、人の通行量が多い区画８０を登録対象の領域としてユーザが指定できるようになる。
【０２２０】  ［５］例えば、位置／領域設定部１１３は、電子クーポンを登録する位置又は領域を、電子クーポンの発行主（広告主）の店舗の所在地からの距離が基準距離以内である領域内に制限するようにしてもよい。
【０２２１】  例えば図８に示す例であれば、位置／領域設定部１１３は、ユーザが移動した複数の区画８０のうちの、上記店舗の所在地からの距離が基準距離以内である区画８０のみを候補領域７６として設定するようにしてもよい。
【０２２２】  ［６］例えば、制御部１１は、電子広告を現実空間内の領域に関連付ける旨の要求を受け付けた時点よりも前の第１時点におけるユーザの位置と、第１時点よりも前の第２時点におけるユーザの位置と、の間の距離が上限閾値よりも大きいか否かを判定するようにしてもよい。そして、上記距離が上限閾値よりも大きい場合、制御部１１は当該ユーザからの電子クーポンの登録要求を受け付けないようにしてもよい。すなわち、制御部１１は関連付け情報の登録を抑止するようにしてもよい。
【０２２３】  なお、上記距離が上限閾値よりも大きいか否かの判定はユーザ端末２０で実行されるようにしてもよい。そして、その判定結果が広告サーバ１０に送信されるようにしてもよい。
【０２２４】  あるいは、上記距離が上限閾値よりも大きいとユーザ端末２０で判定された場合には、広告サーバ１０への要求を送信しないようにしてもよい。具体的には、図２１のステップＳ１０９，Ｓ１１３を実行しないようにしてもよい。このようにすることによって、結果的に、関連付け情報の登録が抑止されるようにしてもよい。
【０２２５】  以上のようにすれば、例えば自動車等の乗物で移動しているユーザが電子クーポンを登録することを抑制することが可能になる。自動車等の乗物で移動しながら電子クーポンを登録することができてしまうと、無差別かつ大量に電子クーポンが登録されてしまうおそれがある。この点、以上のようにすれば、このような不都合の発生を抑制することが可能になる。
【０２２６】  ［７］例えば、制御部１１は、電子広告を現実空間内の領域に関連付ける旨の要求を受け付けた時点よりも前の第１時点におけるユーザの位置と、第１時点よりも前の第２時点におけるユーザの位置と、に基づいて、ユーザの移動速度が閾値よりも速いか否かを判定するようにしてもよい。そして、上記移動速度が上限閾値よりも速い場合、制御部１１は当該ユーザからの電子クーポンの登録要求を受け付けないようにしてもよい。すなわち、制御部１１は関連付け情報の登録を抑止するようにしてもよい。
【０２２７】  なお、上記移動速度が閾値よりも速いか否かの判定はユーザ端末２０で実行されるようにしてもよい。そして、その判定結果が広告サーバ１０に送信されるようにしてもよい。
【０２２８】  あるいは、上記移動速度が閾値よりも速いとユーザ端末２０で判定された場合には、広告サーバ１０への要求を送信しないようにしてもよい。具体的には、図２１のステップＳ１０９，Ｓ１１３を実行しないようにしてもよい。このようにすることによって、結果的に、関連付け情報の登録が抑止されるようにしてもよい。
【０２２９】  以上のようにしても、例えば自動車等の乗物で移動しているユーザが電子クーポンを登録することを抑制することが可能になる。自動車等の乗物で移動しながら電子クーポンを登録することができてしまうと、無差別かつ大量に電子クーポンが登録されてしまうおそれがある。この点、以上のようにしても、このような不都合の発生を抑制することが可能になる。
【０２３０】  ［８］制御部１１は、電子広告を現実空間内の領域に関連付ける旨の要求を受け付けた時点よりも前の第１時点におけるユーザの位置と、第１時点よりも前の第２時点におけるユーザの位置と、の間の距離が下限閾値未満であるか否かを判定するようにしてもよい。そして、上記距離が下限閾値未満である場合に、位置／領域設定部１１３は、第１時点におけるユーザの位置と第２時点におけるユーザの位置との少なくとも一方に基づいて、電子クーポンを登録する位置又は領域を設定するようにしてもよい。
【０２３１】  なお、上記距離が下限閾値未満であるか否かの判定はユーザ端末２０で実行されるようにしてもよい。そして、その判定結果が広告サーバ１０に送信されるようにしてもよい。
【０２３２】  あるいは、上記距離が下限閾値未満であるとユーザ端末２０で判定された場合に限って、第１時点におけるユーザの位置と第２時点におけるユーザの位置とを広告サーバ１０に送信するようにしてもよい。一方、上記距離が下限閾値未満でないとユーザ端末２０で判定された場合、第１時点におけるユーザの位置と第２時点におけるユーザの位置とを広告サーバ１０に送信しないようにしてもよい。
【０２３３】  第１時点におけるユーザの位置と第２時点におけるユーザの位置との間の距離が短い場合とは、第１時点から第２時点にわたってユーザがほぼ同じ場所（例えば交差点又は店舗等）に留まった場合である。このような場所は他のユーザも留まることが期待できる。このため、以上のようにすれば、電子クーポンを登録できる場所として、他のユーザが留まりやすい場所をユーザに提示できるようになる。
【０２３４】  ［９］例えば、電子クーポンを取得する場合のクーポン一覧画面９０には、ユーザの位置を含む区画８０に登録されている電子クーポンだけでなく、当該区画８０の付近の区画８０に登録されている電子クーポンも表示するようにしてもよい。
【０２３５】  この場合、電子クーポンの表示順位を、電子クーポンが登録されている区画８０とユーザの位置との間の距離に基づいて設定するようにしてもよい。例えば、ユーザの位置との距離が短い区画８０に登録された電子クーポンほど表示順位が高くなるようにして、表示順位を設定するようにしてもよい。すなわち、ユーザの位置との距離が短い区画８０に登録された電子クーポンの表示順位を、ユーザの位置との距離が長い区画８０に登録された電子クーポンの表示順位よりも高く設定するようにしてもよい。
【０２３６】  または、電子クーポンの表示順位を電子クーポンの評価値に基づいて設定するようにしてもよい。この場合、電子クーポンの評価値は、電子クーポンが登録されている区画８０とユーザの位置との間の距離と、電子クーポンの人気度と、に基づいて算出される。例えば、上記距離が短いほど評価値が高くなるようにして、評価値が算出される。また、人気度が高いほど評価値が高くなるようにして、評価値が算出される。なお、電子クーポンの人気度は、電子クーポンが実際に利用された回数や、電子クーポンを取得したユーザの人数の少なくとも一つに基づいて設定される。
【０２３７】  また、電子クーポンを取得する場合のクーポン一覧画面９０には、ユーザが指定したカテゴリーに属する電子クーポンのみを表示するようにしてもよい。
【０２３８】  ［１０］例えば、区画８０の大きさは一定でなくてもよい。例えば、地域における人の密度に基づいて地域に含まれる区画８０の大きさを変えるようにしてもよい。具体的には、都心部等のように人の密度が高い地域では区画８０の大きさを比較的小さく設定し、地方等のように人の密度が低い地域では区画８０の大きさを比較的大きく設定するようにしてもよい。
【０２３９】  例えば、人の密度が高い場合には、複数のユーザが一つの区画８０に対して同一の電子クーポンを登録しようとする確率が高くなる。この点、人の密度が高い地域では区画８０の大きさを比較的小さく設定すれば、複数のユーザが一つの区画８０に対して同一の電子クーポンを登録しようとする確率を低減することが可能になる。
【０２４０】  以上のようにして区画８０の大きさを変える場合には、ユーザ端末２０から広告サーバ１０へ位置情報を送信する間隔を区画８０の大きさに応じて制御するようにしてもよい。具体的には、区画８０の大きさが大きいほど位置情報の送信間隔を大きく設定し、区画８０の大きさが小さいほど位置情報の送信間隔を小さく設定するようにしてもよい。
【０２４１】  位置情報の送信間隔を区画８０の大きさに応じて制御する場合には、位置情報の送信間隔と区画８０の大きさとの対応関係を示す対応関係情報が必要となる。上述のように、この対応関係情報は、区画８０の大きさが大きいほど位置情報の送信間隔が大きく設定され、区画８０の大きさが小さいほど位置情報の送信間隔が小さく設定されるように設定される。
【０２４２】  例えば、上記の対応関係情報は記憶部１２又はデータベース１５に記憶され、広告サーバ１０の制御部１１は、上記の対応関係情報とユーザ端末２０の位置情報とに基づいて、ユーザ端末２０における上記送信間隔を決定する。この場合、広告サーバ１０の制御部１１は、決定された送信間隔をユーザ端末２０に通知する。ユーザ端末２０では、通知された送信間隔で、広告サーバ１０への位置情報の送信が実行される。
【０２４３】  または、ユーザ端末２０の制御部２１が、上記の対応関係情報とユーザ端末２０の位置情報とに基づいて、ユーザ端末２０における上記送信間隔を決定するようにしてもよい。なお、この場合、対応関係情報は記憶部２２に記憶されるようにしてもよいし、記憶部１２又はデータベース１５に記憶される対応関係情報が通信ネットワーク２を介してユーザ端末２０に供給されるようにしてもよい。
【０２４４】  区画８０の大きさが大きい場合には、ユーザが現在位置している区画８０が変化する頻度が低くなる。ユーザが現在位置している区画８０が変化する頻度が低い場合には、ユーザ端末２０の位置情報を広告サーバ１０に高い頻度で送信する必要性が低くくなる。この点、以上のようにすれば、不要な位置情報の送信を抑制することが可能になる。
【０２４５】  ［１１］例えば、候補領域７６や区画８０は矩形以外の形状の領域であってもよい。ただし、これらの領域を矩形領域としておいた方が処理を簡易にすることができる。
【０２４６】  ［１２］例えば、ユーザ端末２０がユーザ端末２０の動きを検出するためのセンサ（例えば加速度センサ又はジャイロセンサ）を備える場合、ユーザ端末２０を振る操作を、電子クーポンを登録又は取得するための操作として採用するようにしてもよい。例えば、区画指定画面７０ではユーザがいずれかの区画８０を指定した状態でユーザ端末２０を振った場合に、電子クーポンと区画８０との関連付けが実行されるようにしてもよい。同様に、クーポン画面１００では、ユーザ端末２０を振った場合に電子クーポンがユーザに提供されるようにしてもよい。このようにすれば、ユーザが街中でユーザ端末２０を振るようになり、他人の注目を集めることが期待できる。その結果、広告サーバ１０によって提供されるサービスへの関心が高まることが期待できる。
【０２４７】  ［１３］例えば、店舗端末３０では、広告主が提供している電子クーポンの登録状況を確認するための画面を表示するようにしてもよい。この画面は、店舗端末３０から広告サーバ１０にアクセスすることによって表示されるようにすればよい。
【０２４８】  ［１４］例えば、広告システム１は複数の広告サーバ１０を含むようにしてもよい。この場合、複数の広告サーバ１０は処理（機能）を分担するようにしてもよい。例えば、一方の広告サーバ１０は電子クーポンの登録に関する処理を実行し、他方の広告サーバ１０は電子クーポンの提供に関する処理を実行するようにしてもよい。すなわち、第１位置情報取得部１１２、位置／領域設定部１１３、及び関連付け情報登録部１１４は一方の広告サーバ１０によって実現され、第２位置情報取得部１１５及び電子広告提供部１１６は他方の広告サーバ１０で実現されるようにしてもよい。
【０２４９】  ［１５］例えば、第１位置情報取得部１１２を広告サーバ１０で実現するようにしてもよい。
【０２５０】  すなわち、ユーザ端末２０はユーザ端末２０の位置自体を示す情報を広告サーバ１０に送信するのではなく、ユーザ端末２０の位置を取得するための基礎となる情報を広告サーバ１０に送信するようにしてもよい。
【０２５１】  例えば、ユーザ端末２０は、ＧＰＳ受信部２４によって受信された信号を示す情報を広告サーバ１０に送信するようにしてもよい。または、ユーザ端末２０は、ユーザ端末２０と通信している携帯電話基地局の位置情報を広告サーバ１０に送信するようにしてもよい。あるいは、ユーザ端末２０は、ユーザ端末２０と通信している無線ＬＡＮ基地局の位置情報を広告サーバ１０に送信するようにしてもよい。
【０２５２】  そして、広告サーバ１０の制御部１１（第１位置情報取得部１１２）は、ユーザ端末２０から送信された上記情報に基づいて、ユーザ端末２０の位置情報を取得するようにしてもよい。
【０２５３】  なお、第１位置情報取得部１１２と同様に、第２位置情報取得部１１５を広告サーバ１０で実現するようにしてもよい。
【０２５４】  ［１６］例えば、記憶部１１０、位置／領域設定部１１３、関連付け情報登録部１１４、及び電子広告提供部１１６の全部又は一部をユーザ端末２０で実現するようにしてもよい。
【０２５５】  例えば、記憶部１１０以外の機能ブロックをユーザ端末２０で実現するようにしてもよい。すなわち、記憶部１１０以外の機能ブロックを含むユーザ端末２０（広告処理装置）を実現するようにしてもよい。または、第１位置情報取得部１１２、位置／領域設定部１１３、及び関連付け情報登録部１１４を含むユーザ端末２０（広告処理装置）を実現するようにしてもよい。あるいは、第２位置情報取得部１１５及び電子広告提供部１１６を含むユーザ端末２０（広告処理装置）を実現するようにしてもよい。
【０２５６】  なお、変形例１における推定部もユーザ端末２０で実現するようにしてもよい。
【０２５７】  ［１７］以上では、電子クーポンを提供する場合について主に説明したが、本発明は電子クーポン以外の電子広告を提供する場合にも適用することが可能である。例えば、電子チラシを提供する場合にも本発明は適用することが可能である。また、電子広告として画像データ（電子クーポン又は電子チラシ以外の画像データ）を提供する場合にも本発明は適用することが可能である。さらに、電子広告として音声データ又は動画データを提供する場合にも本発明は適用することが可能である。
【符号の説明】
【０２５８】  １  広告システム、２  通信ネットワーク、１０  広告サーバ、１１，２１  制御部、１２，２２  記憶部、１３，２３  通信部、１４  光ディスクドライブ部、１５  データベース、２０  ユーザ端末、２４  ＧＰＳ受信部、２５  操作部、２６  表示部、２７  音声出力部、３０  店舗端末、４０  メニュー画面、４２Ａ，４２Ｂ，４２Ｃ  メニューボタン、４４  ゲームポイント欄、４６  ショッピングポイント欄、５０，９０  クーポン一覧画面、５２，９２  クーポンボタン、５４，６８，７８，９４，１０８  戻るボタン、６０，１００  クーポン画面、６２，１０２  クーポン、６４，１０４  コード画像、６６  登録ボタン、７０  区画指定画面、７２  地図、７４  ユーザの位置、７６  候補領域、８０  区画、１０６  取得ボタン、１１０  記憶部、１１１  関連付け情報記憶部、１１２  第１位置情報取得部、１１３  位置／領域設定部、１１４  関連付け情報登録部、１１５  第２位置情報取得部、１１６  電子広告提供部、１２０  代替領域、Ｕ１，Ｕ２  ユーザ、Ｃ  電子クーポン、Ａ  領域。
【図１】
0005959745.tif 000002
【図２】
0005959745.tif 000003
【図３】
0005959745.tif 000004
【図４】
0005959745.tif 000005
【図５】
0005959745.tif 000006
【図６】
0005959745.tif 000007
【図７】
0005959745.tif 000008
【図８】
0005959745.tif 000009
【図９】
0005959745.tif 000010
【図１０】
0005959745.tif 000011
【図１１】
0005959745.tif 000012
【図１２】
0005959745.tif 000013
【図１３】
0005959745.tif 000014
【図１４】
0005959745.tif 000015
【図１５】
0005959745.tif 000016
【図１６】
0005959745.tif 000017
【図１７】
0005959745.tif 000018
【図１８】
0005959745.tif 000019
【図１９】
0005959745.tif 000020
【図２０】
0005959745.tif 000021
【図２１】
0005959745.tif 000022
【図２２】
0005959745.tif 000023
【図２３】
0005959745.tif 000024
【図２４】
0005959745.tif 000025